(57)【特許請求の範囲】
【請求項１】
遊技盤と、当該遊技盤の盤面にその外周部に沿い設けられるガイドレールとを備えるパチンコ遊技機において、
前記遊技盤の盤面のうち前記ガイドレールの下端部の直上に形成してなるアウト口内に組み付けられる光演出装置を有する光演出システムを具備してなり、
前記光演出装置は、
前記アウト口内に組み付けられて前記遊技盤の盤面から前方へ演出壁を突出してなる演出部材と、
当該演出部材にその後側から組み付けられる環状部材と、
前記演出壁の左側下端部にその後側から設けられて前記ガイドレールの左側部位に沿い右側へ下方に向け転動する遊技球を進入させるように開口する左側アウト球入路と、
前記演出壁の右側下端部にその後側から設けられて前記ガイドレールの右側部位に沿い左側へ下方に向け転動する遊技球を進入させるように開口する右側アウト球入路と、
前記左側アウト球入路の内部から右側へ延出するように前記環状部材の下部に設けられる左側排出筒部材であってその延出端開口部にて前記左側アウト球入路からの遊技球を導入して前記アウト口内に排出する左側排出筒部材と、
前記右側アウト球入路の内部から左側へ延出するように前記環状部材の下部に設けられる右側排出筒部材であってその延出端開口部にて前記右側アウト球入路からの遊技球を導入して前記アウト口内に排出する右側排出筒部材と、
遊技者側に向け凸に湾曲形状となって湾曲する反射板と、この反射板の前方へ延出する配設板部と、前記反射板の湾曲方向の一端側から他端側にかけて前記湾曲方向に沿い前記配設板部上に間隔をおいて配設される複数の発光素子とを有して、前記環状部材内に収容される発光反射ユニットとを具備してなり、
前記光演出システムは、前記複数の発光素子を、前記反射板の前記一端側の発光素子から前記他端側の発光素子にかけて、所定の発光態様でもって、所定発光強度にて発光し、
前記他端側の発光素子の前記所定発光強度による発光後、前記複数の発光素子のうち発光強度を零とする少なくとも１つの発光素子を前記一端側及び前記他端側の両発光素子の一方の発光素子から他方の発光素子にかけて順次移行させ、かつ、前記発光強度を零とする前記少なくとも１つの発光素子の移行に伴い、前記発光強度を零とする前記少なくとも１つの発光素子から互いに離れる両発光素子毎に前記所定発光強度よりも低い範囲にて順次高くなる発光強度にて発光するようにしたことを特徴とするパチンコ遊技機。
【請求項２】
前記光演出システムは、
前記複数の発光素子のうちその一発光素子毎に当該一発光素子の前記所定発光強度による発光にあわせて、当該一発光素子の両隣接発光素子のうち前記他端側の発光素子に近い発光素子を前記所定発光強度よりも低い第１低発光強度にて発光するとともに前記両隣接発光素子のうち前記一端側の発光素子に近い発光素子を前記第１低発光強度よりも低い第２低発光強度にて発光し、
前記他端側の発光素子の前記所定発光強度による発光後において、前記発光強度を零とする前記少なくとも１つの発光素子の移行毎に、当該少なくとも１つの発光素子に隣接する両発光素子を同一低発光強度にて発光し、かつ、前記他端側の発光素子をその発光強度にて前記第２低発光強度から順次低下するように発光するとともに前記一端側の発光素子をその発光強度にて前記所定発光強度よりも低い範囲にて前記同一発光強度から順次高くするように発光することを特徴とする請求項１に記載のパチンコ遊技機。
【請求項３】
遊技盤と、当該遊技盤の盤面にその外周部に沿い設けられるガイドレールとを備えるパチンコ遊技機において、
前記遊技盤の盤面のうち前記ガイドレールの下端部の直上に形成してなるアウト口内に組み付けられる光演出装置を有する光演出システムを具備してなり、
前記光演出装置は、
前記アウト口内に組み付けられて前記遊技盤の盤面から前方へ演出壁を突出してなる演出部材と、
当該演出部材にその後側から組み付けられる環状部材と、
前記演出壁の左側下端部にその後側から設けられて前記ガイドレールの左側部位に沿い右側へ下方に向け転動する遊技球を進入させるように開口する左側アウト球入路と、
前記演出壁の右側下端部にその後側から設けられて前記ガイドレールの右側部位に沿い左側へ下方に向け転動する遊技球を進入させるように開口する右側アウト球入路と、
前記左側アウト球入路の内部から右側へ延出するように前記環状部材の下部に設けられる左側排出筒部材であってその延出端開口部にて前記左側アウト球入路からの遊技球を導入して前記アウト口内に排出する左側排出筒部材と、
前記右側アウト球入路の内部から左側へ延出するように前記環状部材の下部に設けられる右側排出筒部材であってその延出端開口部にて前記右側アウト球入路からの遊技球を導入して前記アウト口内に排出する右側排出筒部材と、
遊技者側に向け凸に湾曲形状となって湾曲する反射板と、この反射板の前方へ延出する配設板部と、前記反射板の湾曲方向の一端側から他端側にかけて前記湾曲方向に沿い前記配設板部上に間隔をおいて配設される第１〜第ｍの発光素子とを有して、前記環状部材内に収容される発光反射ユニットとを具備してなり、
前記光演出システムは、
前記第1〜第ｍの発光素子の発光に要する所定デューティ比からなる第1〜第ｍの発光態様と、前記第1〜第ｍの発光素子のうちその発光に要するデューティ比を零とする少なくとも１つの発光素子を前記一端側及び前記他端側の両発光素子の一方の発光素子から他方の発光素子にかけて順次移行させ、かつデューティ比を零とする前記少なくとも１つの発光素子の移行に伴い、前記デューティ比を零とする前記少なくとも１つの発光素子から互いに離れる両発光素子毎に前記所定デューティ比よりも低い範囲にて順次高くなる低デューティ比からなる第（ｍ＋１）〜第（ｍ＋２）の発光態様とを発光態様データとして記憶する記憶手段と、
前記第１〜第ｍの発光素子を、前記発光態様データの前記第１〜前記第ｍの発光態様に基づき発光し、然る後、前記発光態様データの前記第（ｍ＋１）〜第（ｍ＋２）の発光態様に基づき、前記デューティ比を零とする前記少なくとも１つの発光素子の移行に伴い、当該少なくとも１つの発光素子以外の発光素子を発光するように駆動制御する駆動制御手段とを備えることを特徴とするパチンコ遊技機。
【請求項４】
前記発光態様データにおいて、前記第１〜第ｍの発光態様が、それぞれ、前記第１〜第ｍの発光素子の一発光素子毎に当該一発光素子の両隣接発光素子のうち前記第ｍ発光素子側の発光素子に近い発光素子の発光に要するデューティ比をも前記所定デューティ比よりも低い第１低デューティ比とするとともに前記両隣接発光素子のうち前記第１発光素子に近い発光素子の発光に要するデューティ比をも前記第１低デューティ比よりも低い第２低デューティ比とするように設定され、
前記第（ｍ＋１）〜第（ｍ＋２）の発光態様が、前記デューティ比を零とする前記少なくとも１つの発光素子の移行毎に、当該少なくとも１つの発光素子に隣接する両発光素子の発光に要する各デューティ比をも同一低発光強度とし、かつ、前記第ｍ発光素子の発光に要するデューティ比をも前記第２低デューティ比から順次低下するとともに前記第１発光素子の発光に要するデューティ比をも前記所定デューティ比よりも低い範囲にて前記最低デューティ比から順次高くするデューティ比とするように設定されており、
前記駆動制御手段は、前記第１〜第ｍの発光素子及びその前記両隣接発光素子を前記第１〜第ｍの発光態様に基づき発光し、前記第（ｍ＋１）〜第（ｍ＋２）の発光態様に基づき、前記デューティ比を零とする前記少なくとも１つの発光素子の移行に伴い、当該少なくとも１つの発光素子以外の発光素子を発光するように駆動制御することを特徴とする請求項３に記載のパチンコ遊技機。
【発明の詳細な説明】
【技術分野】
【０００１】
本発明は、複数の発光素子の点滅により光による演出を行うようにした光演出装置を備えるパチンコ遊技機に関する。
【背景技術】
【０００２】
従来、遊技機の光演出システムにおいては、例えば、下記特許文献１に記載の遊技機の回転発光装置が提案されている。この回転発光装置は、略円形の基板、５つの発光体系統及び円錐状反射体を備えている。５つの発光体系統は、それぞれ、３つの発光ダイオードでもって、構成されて、略円形の基板の略半円板部上に、その半円周方向に等角度間隔にて放射状に配設されている。また、円錐状反射体は、その頂部にて、略円形の基板の中央部に対向するように、基板の上方にて、上下逆の円錐状に設けられている。
【先行技術文献】
【特許文献】
【０００３】
【特許文献１】特開２００２−２３９０９３号公報
【発明の概要】
【発明が解決しようとする課題】
【０００４】
ところで、上述のように構成した回転発光装置は、各発光体系統をその各発光ダイオードでもって順次間欠的に発光させたとき、当該各発光体系統からの光が円錐状反射体の半円錐部の反射面により順次反射光として反射されることで、当該反射光を、恰も回転灯の回転のような疑似回転光として視認させるようになっている。
【０００５】
しかしながら、このように各発光体系統からの光を円錐状反射体の半円錐部の反射面により順次反射光として反射するのみでは、反射光が、円錐状反射体の半円錐部に亘り擬似回転するようにしか視認されない。換言すれば、反射光が円錐状反射体の円錐部の全周に亘り回転するようには視認され得ず、光による回転演出としては、未だ不十分である。
【０００６】
そこで、本発明は、以上のようなことに対処するため、複数の発光素子の発光形態に工夫を凝らし、各発光素子の配置領域を最小限にしても当該各発光素子の発光制御に基づき円周に亘る回転発光のように擬似的に認識させる光演出システムを備えるパチンコ遊技機を提供することを目的とする。
【課題を解決するための手段】
【０００７】
上記課題の解決にあたり、本発明に係るパチンコ遊技機は、請求項１に記載によれば、
遊技盤（２０）と、当該遊技盤の盤面（２１）にその外周部に沿い設けられるガイドレール（２２）とを備える。    
当該パチンコ遊技機において、
遊技盤の盤面のうちガイドレールの下端部の直上に形成してなるアウト口（３０）内に組み付けられる光演出装置（４０）を有する光演出システムを具備してなり、
光演出装置は、
上記アウト口内に組み付けられて遊技盤の盤面から前方へ演出壁（４３ａ）を突出してなる演出部材（４３）と、
当該演出部材にその後側から組み付けられる環状部材（４１）と、
上記演出壁の左側下端部にその後側から設けられてガイドレールの左側部位に沿い右側へ下方に向け転動する遊技球を進入させるように開口する左側アウト球入路（４３ｆ）と、
上記演出壁の右側下端部にその後側から設けられてガイドレールの右側部位に沿い左側へ下方に向け転動する遊技球を進入させるように開口する右側アウト球入路（４３ｇ）と、
上記左側アウト球入路の内部から右側へ延出するように上記環状部材の下部に設けられる左側排出筒部材であってその延出端開口部（４５ａ）にて上記左側アウト球入路からの遊技球を導入して上記アウト口内に排出する左側排出筒部材（４５）と、
上記右側アウト球入路の内部から左側へ延出するように上記環状部材の下部に設けられる右側排出筒部材であってその延出端開口部（４６ａ）にて上記右側アウト球入路からの遊技球を導入して上記アウト口内に排出する右側排出筒部材（４６）と、
遊技者側に向け凸に湾曲形状となって湾曲する反射板（４７ｂ）と、この反射板の前方へ延出する配設板部（４７ｃ）と、上記反射板の湾曲方向の一端側から他端側にかけて上記湾曲方向に沿い上記配設板部上に間隔をおいて配設される複数の発光素子（Ｌ１〜Ｌ５）とを有して、上記環状部材内に収容される発光反射ユニット（４７）とを具備してなり、
光演出システムは、上記複数の発光素子を、上記反射板の上記一端側の発光素子（Ｌ１）から上記他端側の発光素子（Ｌ５）にかけて、所定の発光態様でもって、所定発光強度にて発光し、
上記他端側の発光素子（Ｌ５）の上記所定発光強度による発光後、上記複数の発光素子のうち発光強度を零とする少なくとも１つの発光素子を上記一端側及び上記他端側の両発光素子（Ｌ１、Ｌ５）の一方の発光素子から他方の発光素子にかけて順次移行させ、かつ、上記発光強度を零とする上記少なくとも１つの発光素子の移行に伴い、上記発光強度を零とする上記少なくとも１つの発光素子から互いに離れる両発光素子毎に上記所定発光強度よりも低い範囲にて順次高くなる発光強度にて発光するようにしたことを特徴とする。
【０００８】
これによれば、パチンコ遊技機において、光演出システムの光演出装置は、
遊技盤の盤面のうちガイドレールの下端部の直上に形成してなるアウト口内に組み付けられて遊技盤の盤面から前方へ演出壁を突出してなる演出部材と、
当該演出部材にその後側から組み付けられる環状部材と、
演出壁の左側下端部にその後側から設けられてガイドレールの左側部位に沿い右側へ下方に向け転動する遊技球を進入させるように開口する左側アウト球入路と、
演出壁の右側下端部にその後側から設けられてガイドレールの右側部位に沿い左側へ下方に向け転動する遊技球を進入させるように開口する右側アウト球入路と、
左側アウト球入路の内部から右側へ延出するように環状部材の下部に設けられる左側排出筒部材であってその延出端開口部にて左側アウト球入路からの遊技球を導入してアウト口内に排出する左側排出筒部材と、
右側アウト球入路の内部から左側へ延出するように環状部材の下部に設けられる右側排出筒部材であってその延出端開口部にて右側アウト球入路からの遊技球を導入して上記アウト口内に排出する右側排出筒部材とを備える。
これに伴い、左側排出筒部材は、ガイドレールの左側部位に沿い右側へ下方に向け転動して左側アウト球入路内に進入する遊技球を左側球として導入してアウト口に排出し、一方、右側排出筒部材は、ガイドレールの右側部位に沿い左側へ下方に向け転動して右側アウト球入路内に進入する遊技球を右側球として導入してアウト口に排出する。
このように左側球及び右側球が、ガイドレールの左側部位及び右側部位に沿い互いに接近するように転動しても、これら左側球及び右側球は、上述のように、それぞれ、別々に左側排出筒部材及び右側排出筒部材を通りアウト口に排出される。従って、当該左側球及び右側球が、ガイドレールの下端部にて左右方向から衝突して球詰まりを招くという事態の発生を未然に防止することができる。
【０００９】
しかも、光演出装置は、上述したごとく、遊技者側に向け凸に湾曲形状となって湾曲する反射板と、この反射板の前方へ延出する配設板部と、反射板の湾曲方向の一端側から他端側にかけて上記湾曲方向に沿い配設板部上に間隔をおいて配設される複数の発光素子とを有して、環状部材内に収容される発光反射ユニットを備える。
このように、複数の発光素子が、発光反射ユニットの反射板の湾曲方向の一端側から他端側にかけて当該反射板の湾曲方向に沿い配設板部上に間隔をおいて遊技者側に向け凸な湾曲形状にて配設されている。
そして、このような配設のもと、複数の発光素子が、上記反射板の上記湾曲方向の一端側の発光素子から上記湾曲方向の他端側の発光素子にかけて、所定の発光態様でもって、所定発光強度にて発光する。
【００１０】
このような発光後、複数の発光素子のうち発光強度を零とする少なくとも１つの発光素子が、反射板の湾曲方向の一端側及び他端側の両発光素子の一方の発光素子から他方の発光素子にかけて順次移行し、かつ、このような両発光素子の移行に伴い、当該両発光素子から互いに離れる両発光素子毎に上記所定発光強度よりも低い範囲にて順次高くなる発光強度にて発光する。
【００１１】
換言すれば、複数の発光素子の各発光が、反射板の湾曲方向の一端側の発光素子から当該湾曲方向の他端側の発光素子にかけて、順次、所定明るさの発光点として移動しつつ反射板により反射されて視認され、然る後、複数の発光素子のうち発光強度を零とする少なくとも１つの発光素子の位置或いはその近傍が、反射板の湾曲方向の一端側及び他端側の各両発光素子の一方の両発光素子の間から他方の両発光素子の間にかけて、順次暗点として移動して視認される。
【００１２】
その結果、上述のように左側球及び右側球が、ガイドレールの下端部にて左右方向から衝突して球詰まりを招くという事態の発生を未然に防止し得るとともに、複数の発光素子が配設板部上にて反射板の前側にしか配設されていなくても、発光点及び暗点の移動でもって、反射板の前側及び後側の全体に亘り光演出を行っているように視認され得る。
【００１３】
ここで、上述のような発光強度を零とする各少なくとも１つの発光素子の移行に伴い、当該各少なくとも１つの発光素子から互いに離れる両発光素子毎に所定発光強度よりも低い範囲にて順次高くなる発光強度にて発光するから、発光強度を零とする各少なくとも１つの発光素子の位置或いはその近傍の暗点がより一層良好に形成される。このため、上述のように左側球及び右側球がガイドレールの下端部にて左右方向から衝突して球詰まりを招くという事態の発生を未然に防止し得るという作用効果のもと、上述した光演出において暗点の移動による作用効果がより一層明確になる。
【００１４】
また、本発明は、請求項２の記載によれば、請求項１に記載のパチンコ遊技機において、
複数の発光素子のうちその一発光素子毎に当該一発光素子の上記所定発光強度による発光にあわせて、当該一発光素子の両隣接発光素子のうち上記他端側の発光素子（Ｌ５）に近い発光素子を上記所定発光強度よりも低い第１低発光強度にて発光するとともに上記両隣接発光素子のうち上記一端側の発光素子（Ｌ１）に近い発光素子を上記第１低発光強度よりも低い第２低発光強度にて発光し、
上記他端側の発光素子（Ｌ５）の上記所定発光強度による発光後において、上記発光強度を零とする上記少なくとも１つの発光素子の移行毎に、当該少なくとも１つの発光素子に隣接する両発光素子を同一低発光強度にて発光し、かつ、上記他端側の発光素子（Ｌ５）をその発光強度にて上記第２低発光強度から順次低下するように発光するとともに上記一端側の発光素子をその発光強度にて上記所定発光強度よりも低い範囲にて上記同一発光強度から順次高くするように発光することを特徴とする。
【００１５】
これによれば、所定明るさにて発光する複数の発光素子にそれぞれ隣接する各発光素子の明るさを所定明るさよりも暗くするようにしたので、所定明るさにて発光する複数の発光素子の各発光点がより一層明確になるとともに、上記発光強度を零とする各少なくとも１つの発光素子に隣接する両発光素子が同一の暗さとなるように発光するので、上述の各暗点がより一層明確になる。その結果、請求項１に記載の発明の作用効果がより一層向上され得る。
【００１７】
また、本発明に係るパチンコ遊技機は、その光演出システムにおいて、次のように構成してもよい。
即ち、当該光演出システムは、遊技者側に向け凸に湾曲形状となって湾曲する反射板（４７ｂ）と、この反射板の前方へ延出する配設板部（４７ｃ）と、上記反射板の湾曲方向の一端側から他端側にかけて当該湾曲方向に沿い上記配設板部上に間隔をおいて配設される複数の発光素子（Ｌ１〜Ｌ５）とを有する発光反射ユニット（４７）と、
第１〜第５の発光素子を、上記反射板の上記一端側の発光素子（Ｌ１）である第１発光素子から上記他端側の発光素子（Ｌ５）である第５発光素子にかけて、順次、所定の発光強度にて発光し、
第５発光素子（Ｌ５）の上記所定発光強度による発光後、第１〜第５の発光素子のうち発光強度を零とする少なくとも１つの発光素子を第１及び第５の発光素子（Ｌ１、Ｌ５）の一方の発光素子から他方の発光素子にかけて順次移行させ、かつ、上記発光強度を零とする少なくとも１つの発光素子の移行に伴い、当該発光強度を零とする少なくとも１つの発光素子から互いに離れる両発光素子毎に上記所定発光強度よりも低い範囲にて順次高くなる発光強度にて発光するようにしてもよい。
【００１８】
このように、発光素子を５個とすることで、請求項１に記載の発明の作用効果がより一層具体的に達成され得る。
【００１９】
ここで、第１発光素子（Ｌ１）の上記記所定発光強度による発光にあわせて第２発光素子（Ｌ２）を上記所定発光強度よりも低い第１低発光強度にて発光し、
第２〜第４の発光素子（Ｌ２〜Ｌ４）のうちその一発光素子毎に当該一発光素子の上記所定発光強度による発光にあわせて、当該一発光素子の両隣接発光素子のうち第５発光素子（Ｌ５）に近い発光素子を上記第１低発光強度にて発光するとともに上記両隣接発光素子のうち第１発光素子（Ｌ１）に近い発光素子を上記第１低発光強度よりも低い第２低発光強度にて発光し、
第５発光素子の上記所定発光強度による発光にあわせて第４発光素子（Ｌ４）を上記第２低発光強度にて発光し、
第５発光素子（Ｌ５）の上記所定発光強度による発光後において、上記発光強度を零とする少なくとも１つの発光素子の移行毎に、当該少なくとも１つの発光素子に隣接する両発光素子を同一低発光強度にて発光し、かつ、第５発光素子（Ｌ５）をその発光強度にて上記第２低発光強度から順次低下するように発光するとともに第１発光素子（Ｌ１）をその発光強度にて上記所定発光強度よりも低い範囲にて前記同一低発光強度から順次高くするように発光するようにしてもよい。
【００２０】
さらに、第５発光素子（Ｌ５）の上記所定発光強度による発光後において、上記発光強度を零とする両発光素子の移行毎に、当該両発光素子が第1及び第２の発光素子であるとき第５発光素子（Ｌ５）を上記第２低発光強度にて発光し、両発光素子が第２及び第３の発光素子（Ｌ２、Ｌ３）であるとき第５発光素子（Ｌ５）を上記第２低発光強度よりも低い第３低発光強度にて発光するとともに第４及び第１の発光素子を上記同一低発光強度にて発光し、上記両発光素子が第３及び第４の発光素子であるとき第1発光素子（Ｌ１）を上記第３低発光強度にて発光するとともに第５及び第２の発光素子（Ｌ５、Ｌ２）を上記同一低発光強度にて発光し、また、両発光素子が第４及び第５の発光素子（Ｌ４、Ｌ５）であるとき第１発光素子（Ｌ１）、第２発光素子（Ｌ２）及び第３発光素子（Ｌ３）をそれぞれ上記第２低発光強度、上記第３低発光強度及び上記同一低発光強度にて発光するようにしてもよい。
【００２１】
これによれば、発光強度を零とする両発光素子の移行毎に、当該両発光素子を除く各発光素子のうち第５及び第１の各発光素子から当該両発光素子に向けて順次暗くなるように発光するので、各暗点がより一層具体的に明確になる。
【００２２】
また、本発明に係るパチンコ遊技機は、請求項３の記載によれば、
遊技盤（２０）と、当該遊技盤の盤面（２１）にその外周部に沿い設けられるガイドレール（２２）とを備える。
当該パチンコ遊技機において、
遊技盤の盤面のうちガイドレールの下端部の直上に形成してなるアウト口（３０）内に組み付けられる光演出装置（４０）を有する光演出システムを具備してなり、
光演出装置は、
上記アウト口内に組み付けられて遊技盤の盤面から前方へ演出壁（４３ａ）を突出してなる演出部材（４３）と、
当該演出部材にその後側から組み付けられる環状部材（４１）と、
上記演出壁の左側下端部にその後側から設けられてガイドレールの左側部位に沿い右側へ下方に向け転動する遊技球を進入させるように開口する左側アウト球入路（４３ｆ）と、
上記演出壁の右側下端部にその後側から設けられてガイドレールの右側部位に沿い左側へ下方に向け転動する遊技球を進入させるように開口する右側アウト球入路（４３ｇ）と、
左側アウト球入路の内部から右側へ延出するように上記環状部材の下部に設けられる左側排出筒部材であってその延出端開口部（４５ａ）にて左側アウト球入路からの遊技球を導入して上記アウト口内に排出する左側排出筒部材（４５）と、
右側アウト球入路の内部から左側へ延出するように上記環状部材の下部に設けられる右側排出筒部材であってその延出端開口部（４６ａ）にて右側アウト球入路からの遊技球を導入して上記アウト口内に排出する右側排出筒部材（４６）と、
遊技者側に向け凸に湾曲形状となって湾曲する反射板（４７ｂ）と、この反射板の前方へ延出する配設板部（４７ｃ）と、反射板の湾曲方向の一端側から他端側にかけて当該湾曲方向に沿い上記配設板部上に間隔をおいて配設される第１〜第ｍの発光素子（Ｌ１〜Ｌ５）とを有して、上記環状部材内に収容される発光反射ユニット（４７）とを具備してなり、
光演出システムは、
第１〜第ｍの発光素子の発光に要する所定デューティ比からなる第1〜第ｍの発光態様と、第１〜第ｍの発光素子のうちその発光に要するデューティ比を零とする少なくとも１つの発光素子を上記一端側及び上記他端側の両発光素子（Ｌ１、Ｌ５）の一方の発光素子から他方の発光素子にかけて順次移行させ、かつデューティ比を零とする上記少なくとも１つの発光素子の移行に伴い、上記デューティ比を零とする上記少なくとも１つの発光素子から互いに離れる両発光素子毎に上記所定デューティ比よりも低い範囲にて順次高くなる低デューティ比からなる第（ｍ＋１）〜第（ｍ＋２）の発光態様とを発光態様データとして記憶する記憶手段と、
第１〜第ｍの発光素子を、上記発光態様データの上記第１〜前記第ｍの発光態様に基づき発光し、然る後、上記発光態様データの上記第（ｍ＋１）〜第（ｍ＋２）の発光態様に基づき、上記デューティ比を零とする上記少なくとも１つの発光素子の移行に伴い、当該少なくとも１つの発光素子以外の発光素子を発光するように駆動制御する駆動制御手段（３１０〜３２０、３２２〜３４０、３６０〜３７０、３９０〜４００、４２０〜４３０、４５０〜４６０、４８０〜４９０、５１０〜５２０、５４０〜５５０、２００、２１０〜２５０、２１０Ａ〜２５０Ａ、２００Ａ）とを備えることを特徴とする。
【００２３】
これにより、請求項１に記載の発明と同様に、左側排出筒部材は、ガイドレールの左側部位に沿い右側へ下方に向け転動して左側アウト球入路内に進入する遊技球を左側球として導入してアウト口に排出し、一方、右側排出筒部材は、ガイドレールの右側部位に沿い左側へ下方に向け転動して右側アウト球入路内に進入する遊技球を右側球として導入してアウト口に排出する。
このように左側球及び右側球が、ガイドレールの左側部位及び右側部位に沿い互いに接近するように転動しても、これら左側球及び右側球は、上述のように、それぞれ、別々に左側排出筒部材及び右側排出筒部材を通りアウト口に排出される。従って、当該左側球及び右側球が、ガイドレールの下端部にて左右方向から衝突して球詰まりを招くという事態の発生を未然に防止することができる。
しかも、第１〜第ｍの発光素子を、上記発光態様データの上記第１〜上記第ｍの発光態様に基づき発光し、然る後、上記発光態様データの上記第（ｍ＋１）〜第（ｍ＋２）の発光態様に基づき、上記デューティ比を零とする少なくとも１つの発光素子の移行に伴い、当該少なくとも１つの発光素子以外の発光素子を発光するように駆動制御する。
その結果、請求項１に記載の発明と同様の作用効果を達成することができる。なお、請求項３の記載において、符号ｍは整数である。
【００２４】
また、本発明は、請求項４の記載によれば、請求項３に記載のパチンコ遊技機において、
上記発光態様データにおいて、上記第１〜第ｍの発光態様が、それぞれ、第１〜第ｍの発光素子の一発光素子毎に当該一発光素子の両隣接発光素子のうち上記第ｍ発光素子側の発光素子に近い発光素子の発光に要するデューティ比をも上記所定デューティ比よりも低い第１低デューティ比とするとともに上記両隣接発光素子のうち第１発光素子に近い発光素子の発光に要するデューティ比をも上記第１低デューティ比よりも低い第２低デューティ比とするように設定され、
上記第（ｍ＋１）〜第（ｍ＋２）の発光態様が、上記デューティ比を零とする少なくとも１つの発光素子の移行毎に、当該少なくとも１つの発光素子に隣接する両発光素子の発光に要する各デューティ比をも同一低発光強度とし、かつ、第ｍ発光素子の発光に要するデューティ比をも上記第２低デューティ比から順次低下するとともに第１発光素子の発光に要するデューティ比をも上記所定デューティ比よりも低い範囲にて上記最低デューティ比から順次高くするデューティ比とするように設定されており、
駆動制御手段は、第１〜第ｍの発光素子及びその上記両隣接発光素子を上記第１〜第ｍの発光態様に基づき発光し、上記第（ｍ＋１）〜第（ｍ＋２）の発光態様に基づき、上記デューティ比を零とする上記少なくとも１つの発光素子の移行に伴い、当該少なくとも１つの発光素子以外の発光素子を発光するように駆動制御することを特徴とする。
【００２５】
これにより、デューティ比が発光強度に対応することで、請求項３に記載の発明と実質的に同様の作用効果を達成することができる。
【発明の効果】
【００２８】
本発明によれば、ガイドレールの左側部位に沿い右側へ下方に向け転動して左側アウト球入路内に進入する遊技球及びガイドレールの右側部位に沿い左側へ下方に向け転動して右側アウト球入路内に進入する遊技球が、それぞれ、左側球及び右側球として、ガイドレールの左側部位及び右側部位に沿い互いに接近するように転動しても、これら左側球及び右側球は、それぞれ、別々に左側排出筒部材及び右側排出筒部材を通りアウト口に排出される。従って、当該左側球及び右側球が、ガイドレールの下端部にて左右方向から衝突して球詰まりを招くという事態の発生を未然に防止することができる。このような作用効果のもと、複数の発光素子が配設板部上にて反射板の前側にしか配設されていなくても、発光点及び暗点の移動でもって、反射板の前側及び後側の全体に亘り光演出を行っているように視認され得る。
【００２９】
なお、上記各手段の括弧内の符号は、後述する実施形態に記載の具体的手段との対応関係を示す。
【図面の簡単な説明】
【００３０】
【図１】本発明が適用されるパチンコ遊技機の第１実施形態を、前扉を開放した状態にて示す斜視図である。
【図２】図１に示す光演出装置をパチンコ遊技機から分離した状態にて示す斜視図である。
【図３】図２の光演出装置をその前側からみた拡大斜視図である。
【図４】図２の光演出装置をその後側からみた拡大斜視図である。
【図５】図２の光演出装置をその斜め下側からみた拡大斜視図である。
【図６】図２の光演出装置の拡大下面図である。
【図７】図２の光演出装置の拡大分解斜視図である。
【図８】図７の発光板部材の平面図である。
【図９】図７の演出部材に左側球排出筒部材及び右側球排出筒部材を組み付けた状態を演出部材の後側からみた状態で示す斜視図である。
【図１０】図７の演出部材に左側球排出筒部材及び右側球排出筒部材を組み付けた状態を演出部材の斜め下後方からみた状態で示す斜視図である。
【図１１】図７の演出部材に左側球排出筒部材及び右側球排出筒部材を組み付けた状態を演出部材の斜め上後方からみた状態で示す斜視図である。
【図１２】図１のパチンコ遊技機の要部の縦断面図である。
【図１３】上記第１実施形態における光演出装置を制御するためのブロック回路図である。
【図１４】上記第１実施形態における発光態様と各発光ダイオードの発光に要するデューティ比との関係を特定する発光態様データを示す図表である。
【図１５】図１３の発光駆動回路の詳細回路構成を示す回路図である。
【図１６】図１３の演出制御回路であるマイクロコンピュータの作用を示すフローチャートの一部である。
【図１７】図１３の演出制御回路であるマイクロコンピュータの作用を示すフローチャートの一部である。
【図１８】図１３の演出制御回路であるマイクロコンピュータの作用を示すフローチャートの一部である。
【図１９】図１３の演出制御回路であるマイクロコンピュータの作用を示すフローチャートの一部である。
【図２０】図１３の演出制御回路であるマイクロコンピュータの作用を示すフローチャートの一部である。
【図２１】図１３の演出制御回路であるマイクロコンピュータの作用を示すフローチャートの一部である。
【図２２】図１３の演出制御回路であるマイクロコンピュータの作用を示すフローチャートの一部である。
【図２３】図１３の演出制御回路であるマイクロコンピュータの作用を示すフローチャートの一部である。
【図２４】図１３の演出制御回路であるマイクロコンピュータの作用を示すフローチャートの一部である。
【図２５】上記第１実施形態における各発光ダイオードの発光態様を、当該各発光ダイオードの配設位置及び位相角との関係にて示すタイミングチャートである。
【図２６】本発明の第２実施形態の要部を示す詳細回路図である。
【発明を実施するための形態】
【００３１】
以下、本発明の各実施形態を図面により説明する。
（第１実施形態）
図１及び図２は、パチンコ遊技機に適用してなる本発明に係る光演出システムの第１実施形態を示している。当該パチンコ遊技機は、パチンコホール内の島に立設されるもので、このパチンコ遊技機は、機枠ＰＦと遊技機本体Ｂと前扉ＦＤとにより構成されている。なお、前扉ＦＤは、前枠ＦＤ１と、この前枠ＦＤ１の中空部に組み付けた窓ガラスＦＤ２とにより構成されており、この前扉ＦＤは、前枠ＦＤ１の左縁部にて、遊技機本体Ｂの左縁部を介し、機枠ＰＦの左縁部に前後方向に開閉可能に支持されている。また、図１において、図示上下左右方向は、当該パチンコ遊技機を正面から見たときの上下左右方向に対応し、また、図示前後方向は、当該パチンコ遊技機の正後方向に対応する。
【００３２】
遊技機本体Ｂは、枠体ＢＦを備えており、この枠体ＢＦは、その左縁部にて、機枠ＰＦの左縁部に前後方向へ回動可能に支持されている。なお、枠体ＢＦの右下部には、球発射装置１０が配設されている。
【００３３】
また、当該遊技機本体Ｂは、遊技盤２０を備えており、この遊技盤２０は、枠体ＢＦの中空部に嵌装されている。
【００３４】
遊技盤２０の盤面２１には、外レール２２ａと内レール２２ｂとからなるガイドレール２２が取り付けられている。このガイドレール２２は、図１或いは図２にて示すごとく、遊技盤２０の盤面２１にその外周部に沿い取り付けられており、当該ガイドレール２２は、その内周側において、遊技盤２０の盤面２１上に区画された遊技領域２３を形成する。また、ガイドレール２２は、前扉ＦＤの前面右下部に設けられた操作ハンドル（図示しない）の回動操作により、球発射装置１０から発射される遊技球を、外レール２２ａと内レール２２ｂの間を通して遊技領域２３内に案内する。
【００３５】
本実施形態では、図示しないが、遊技盤２０には、通常のデジパチ型のパチンコ遊技機と同様に、センター装飾部材、画像表示器、遊技釘群、スタートチャッカー、アタッカー、電動チューリップ、スルーゲート、風車、複数の普通入賞口装置などが設けられている。なお、上記電動チューリップの入賞口内への遊技球の入賞は、電チュー入賞口センサ（図示しない）により検出される。また、このように電チュー入賞口センサによる検出がなされると、後述する主基板回路が、電チュー入賞口センサの検出結果に基づき、遊技者に有利な遊技状態となる特定遊技状態を発生させるか否かについての大当たり抽選を行う。
【００３６】
当該光演出システムは、図１或いは図２にて示すごとく、光演出装置４０と、この光演出装置４０を発光駆動制御するための発光制御装置Ｅとでもって構成されている。
【００３７】
光演出装置４０は、図１にて示すごとく、遊技盤２０にその盤面２１側から内レール２２ｂの下端部上に沿い、アウト口３０（図２参照）内に組み付けられている。本実施形態では、アウト口３０は、図２にて示すごとく、内レール２２ｂの下端部の直上にて、遊技盤２０に開口形成されている。
【００３８】
当該光演出装置４０は、図３〜図７のいずれかにより示すごとく、ケーシング４０ａを備えている。このケーシング４０ａは、環状部材４１と、透光板４２と、演出部材４３と、蓋部材４４とにより構成されており、当該ケーシング４０ａは、演出部材４３を遊技盤２０の盤面２１から前方へ突出させ、環状部材４１、透光板４２及び蓋部材４４をアウト口３０内に嵌装するようにして、遊技盤２０に組み付けられている。
【００３９】
環状部材４１は、図７にて示すごとく、上壁４１ａ、左側壁４１ｂ、下壁４１ｃ及び右側壁４１ｄでもって環状に形成されている。ここで、上壁４１ａの左右方向中央部には、凹状通路部４１ｅが、前後方向に沿い、下方に向けて凹な半円筒状にて形成されており、この凹状通路部４１ｅは、後述する入賞球通路の途中通路を構成する。
【００４０】
透光板４２は、略四角板状の透明板部４２ａと、この透明板部４２ａの上下方向中央左右両端部から互いに逆方向に突出する両取り付け部４２ｂ、４２ｂとを有している。当該透光板４２は、その透明板部４２ａにて、環状部材４１と演出部材４３との間に複数のネジの締着により挟持されており、当該透光板４２の両取り付け部４２ｂ、４２ｂは、アウト口３０の外周部に遊技盤２０の盤面２１側からネジ止めされている。
【００４１】
演出部材４３は、透明の演出壁４３ａと、この演出壁４３ａの上端部から後方へ延出する上壁４３ｂと、この上壁４３ｂの左右方向中央部に設けてなる入賞口体４３ｃと、演出壁４３ａの左右両端上側部部位から後方に延出して上壁４３ｂとともにコ字状壁を構成する左右両側壁４３ｄ、４３ｅと、演出壁４３ａの左右両側下端部に設けた左右両側アウト球入路４３ｆ、４３ｇとを備えている。
【００４２】
ここで、演出壁４３ａは、その後方から入射する光を透過させて、「ＲＵＳＨ」の英文字でもって光学的に演出効果を発揮する。入賞口体４３ｃは、その底壁部にて、上壁４３ｂの左右方向中央切り欠き部内に嵌着されており、当該入賞口体４３ｃは、上方及び後方に向けて開口するように、左右方向断面コ字状にかつ前後方向断面Ｌ字状に構成されている。
【００４３】
左右両側アウト球入路４３ｆ、４３ｇのうち、左側アウト球入路４３ｆは、演出壁４３ａの左側下端部の後側にて当該左側下端部とともに上方及び左右方向に開口する横断面コ字状の通路となるように構成されている。この左側アウト球入路４３ｆは、遊技盤２０の盤面２１の前方かつ内レール２２ｂの上面に沿うように位置しており、当該左側アウト球入路４３ｆは、その入り口部４３ｈにて、内レール２２ｂの左側部位に向けて開口する。これにより、内レール２２ｂの左側部位の上面に沿い下方へ転動する遊技球が左側アウト球入路４３ｆ内にその入り口部４３ｈから進入する。
【００４４】
右側アウト球入路４３ｇは、演出壁４３ａの右側下端部の後側にて当該右側下端部とともに上方及び左右方向に開口する横断面コ字状の通路となるように構成されている。この右側アウト球入路４３ｇは、遊技盤２０の盤面２１の前方かつ内レール２２ｂの上面に沿うように位置しており、当該右側アウト球入路４３ｇは、その入り口部４３ｉにて、内レール２２ｂの右側部位に向けて開口する。これにより、内レール２２ｂの右側部位の上面に沿い下方へ転動する遊技球が右側アウト球入路４３ｇ内にその入り口部４３ｉから進入する。
【００４５】
なお、入賞口体４３ｃは、その上側開口部にて、パチンコ遊技機のスタートチャッカー（図示しない）の入賞口を構成しており、当該入賞口体４３ｃに対する上側開口部からの遊技球の入賞の際に、遊技盤２１に搭載の主基板（図示しない）に配設した主基板回路（図示しない）が、上記スタートチャッカーの入賞口に対する遊技球の入賞を始動入賞口センサにより検出することで、当該検出結果に基づき、遊技者に有利な遊技状態となる特定遊技状態を発生させるか否かについての大当たり抽選を行う。なお、上記始動入賞口センサは、上記スタートチャッカーの入賞口内に設けられており、当該始動入賞口センサは、記スタートチャッカーの入賞口に対する遊技球の入賞を検出する。
【００４６】
当該光演出装置４０は、図４〜図１１のいずれかにて示すごとく、左側球排出筒部材４５及び右側球排出筒部材４６を備えている。左側球排出筒部材４５は、図５にて示すごとく、環状部材４１の下壁４１ｃにその下面側から組み付けられている。詳細には、左側球排出筒部材４５は、その外周壁の長手方向中間部位にて、両ステイにより、環状部材４１の下壁４１ｃに各ネジの締着により組み付けられている（図５参照）。
【００４７】
この左側球排出筒部材４５は、左側アウト球入路４３ｆの内部から略水平に後方右側へ湾曲状に延出した後下方へ折れ曲がって延出するように構成されており、当該左側球排出筒部材４５は、その延出端開口部４５ａにて、アウト口３０内に延在して開口している。これにより、左側球排出筒部材４５は、内レール２２ｂの左側部位の上面に沿い下方へ転動する遊技球を、左側アウト球入路４３ｆを通し導入して、延出端開口部４５ａからアウト口３０を介し遊技盤２０の後方へ排出する。
【００４８】
右側球排出筒部材４６は、演出壁４３ａの左右方向中間下部にその後面側から組み付けられている。詳細には、右側球排出筒部材４６は、両ステイにより、演出壁４３ａの左右方向中間下部に各ネジの締着により組み付けられている（図９参照）。
【００４９】
この右側球排出筒部材４６は、右側アウト球入路４３ｇの内部から後方やや下方へ湾曲状に延出するように構成されており、当該右側球排出筒部材４６は、その延出端開口部４６ａにて、アウト口３０内に延在して開口している。これにより、右側球排出筒部材４６は、内レール２２ｂの右側部位の上面に沿い下方へ転動する遊技球を、右側アウト球入路４３ｇを通し導入して、延出端開口部４６ａからアウト口３０を介し遊技盤２０の後方へ排出する。本実施形態では、右側球排出筒部材４６の延出開口部４６ａが、左側球排出筒部材４５の延出開口部４５ａとともに、当該延出開口部４５ａの後側にて、アウト口３０内に延在している。なお、これに代えて、右側球排出筒部材４６の延出開口部４６ａが、左側球排出筒部材４５の延出開口部４５ａとともに、当該延出開口部４５ａの前側にて、アウト口３０内に延在するようにしてもよい。
【００５０】
蓋部材４４は、その外周部を環状部材４１にその後方からネジにより締着することで組み付けられている。
【００５１】
発光反射ユニット４７は、蓋部材４４の前面に組み付けられることで、環状部材４１内に収容されており、当該発光反射ユニット４７は、発光板部材４７ａと、湾曲状反射板４７ｂとにより構成されている（図７参照）。
【００５２】
発光板部材４７ａは、湾曲状反射板４７ｂの上下方向中間部位から前方へ延出する配設板部４７ｃと、この配設板部４７ｃに配設した所定個数（例えば、５個）の発光ダイオードＬ１〜Ｌ５とにより構成されている。ここで、配設板部４７ｃは、図８にて示すごとく、半円板状のもので、当該配設板部４７ｃは、その直線状基部にて、湾曲状反射板４７ｂの上下方向中間部位に嵌着されて、湾曲状反射板４７ｂの前方に向け半円板状に延出している。このため、当該配設板部４７ｃは、その延出外周縁部にて、前方へ凸な半円の円弧状に形成されている。本実施形態において、発光ダイオードは、以下、ＬＥＤともいう。
【００５３】
また、各ＬＥＤＬ１〜Ｌ５は、ＬＥＤＬ１からＬＥＤＬ５にかけて、配設板部４７ｃの延出外周縁部にその円弧方向に沿い所定の角度間隔（３０°間隔）をおいて配設されている。
【００５４】
ここで、配設板部４７ｃを、図８にて示すごとく、左側基線ａから図示反時計方向へ１５°の角度位置（以下、左側１５°位置という）と右側基線ｂから図示時計方向へ１５°の角度位置（以下、右側１５°位置という）との間において、円弧方向に３７．５°間隔に区画したとき、ＬＥＤＬ１は、上記左側１５°位置の角度位置に配設されている。
【００５５】
また、ＬＥＤ２は、左側基線ａから５２．５°の角度位置に配設され、ＬＥＤ３は、左側基線ａから９０°の角度位置に配設され、ＬＥＤ４は、左側基線ａから１２７．５°の角度位置に配設され、また、ＬＥＤ５は、左側基線ａから１６５°（右側基線ｂから１５°）の角度位置に配設されている。
【００５６】
しかして、当該各発光ダイオードＬ１〜Ｌ５は、後述のごとく発光駆動されて、上方に向けて光を放射状に出射する。なお、各発光ダイオードＬ１〜Ｌ５は、共に、同一仕様の発光ダイオードである。
【００５７】
湾曲状反射板４７ｂは、配設板部４７ｃを境界として上下両側部位４７ｄ、４７ｅに区画されており、上側部位４７ｄは、反射部位（以下、反射部位４７ｄともいう）として機能する。しかして、湾曲状反射板４７ｂは、反射部位４７ｄにて、各発光ダイオードＬ１〜Ｌ５からの光を透光板４２に向けて反射する。
【００５８】
また、当該光演出装置４０は、上側入賞球通路部材４８及び下側入賞球通路部材４９を有しており、上側入賞球通路部材４８及び下側入賞球通路部材４９は、演出部材４３の入賞口体４３ｃ及び環状部材４１の凹状通路部４１ｅとともに、入賞球通路を構成する。これに伴い、上側入賞球通路部材４８は、その上端開口部にて凹状通路部４１ｅにその後方から開口するように蓋部材４４の後面左右方向中央部に沿い下方に向けて延出している。なお、本実施形態では、上記入賞球通路及び始動入賞口センサ５０でもって、始動入賞口装置を構成する。
【００５９】
下側入賞球通路部材４９は、その上端開口部にて、始動入賞口センサ５０のためのセンサケーシング５１を介し上側入賞球通路部材４８の延出端開口部に連通するように、蓋部材４４の後面左右方向中央部に沿い下方に向けて延出している。
【００６０】
始動入賞口センサ５０は、センサケーシング５１内に収容されて、上側入賞球通路部材４８の内部から下側入賞球通路部材４９の内部に落下する遊技球を入賞球として検出する。なお、センサケーシング５１は、蓋部材４４の後面から後方へ延出している。また、検出された遊技球は、下側入賞球通路部材４９の下端開口部４９ａから遊技盤２０の裏側に排出される。
【００６１】
発光制御装置Ｅは、図１３にて示すごとく、上述した始動入賞口センサ５０及び電チュー入賞口センサ（以下、電チュー入賞口センサ６０ともいう）に接続した演出制御回路１００と、この演出制御回路１００と各発光ダイオードＬ１〜Ｌ５との間に接続してなる発光駆動回路２００とを備えている。
【００６２】
電チュー入賞口センサ６０は、遊技盤２０において上記始動入賞口装置の直下に設けてなる電動チューリップの入賞口（電チュー入賞口）内に設けられており、この電チュー入賞口センサ６０は、上記電チュー入賞口に入賞する遊技球を検出して、始動入賞口センサ５０とともに、大当たり抽選を行う。
【００６３】
演出制御回路１００は、マイクロコンピュータからなるもので、当該演出制御回路１００は、図１６〜図２４にて示すフローチャートに従い、コンピュータプログラムを実行する。そして、この実行中において、演出制御回路１００は、始動入賞口センサ５０或いは電チュー入賞口センサ６０の検出出力及び発光態様データ（図１４参照）に基づき、大当たりの際に発光駆動回路２００による各ＬＥＤＬ１〜Ｌ５の発光駆動制御に要する演出処理を行う。なお、上記コンピュータプログラムは、上記発光態様データと共に、演出制御回路１００のＲＯＭに予め読み出し可能に記憶されている。
【００６４】
上記発光態様データは、図１４にて示すごとく、第１〜第９の発光態様と、各ＬＥＤＬ１〜Ｌ５のデューティ比Ｄ１〜Ｄ５との間の関係を表すデータであって、当該発光態様データは、演出制御回路１００のＲＯＭに予め読み出し可能に記憶されている。本実施形態において、各デューティ比Ｄ１、Ｄ２、Ｄ３、Ｄ４及びＤ５は、それぞれ、各ＬＥＤＬ１〜Ｌ５をデューティ発光駆動するためのデューティ比をいう。本第１実施形態において、後述するデューティ信号が、その周期に亘り、ハイレベルの期間とこれに後続するローレベルの期間とで形成される場合、デューティ比は（ハイレベルの期間／周期）でもって特定される。
【００６５】
上述の第１〜第９の発光態様において、発光態様１は、図１４にて示すごとく、ＬＥＤＬ１のデューティ比Ｄ１＝１００（％）、ＬＥＤＬ２のデューティ比Ｄ２＝５０（％）、ＬＥＤＬ３のデューティ比Ｄ３＝０（％）、ＬＥＤＬ４のデューティ比Ｄ４＝０（％）及びＬＥＤＬ５のデューティ比Ｄ５＝０（％）でもって特定されている。
【００６６】
発光態様２は、図１４にて示すごとく、Ｄ１＝２０（％）、Ｄ２＝１００（％）、Ｄ３＝５０（％）及びＤ４＝Ｄ５＝０（％）でもって特定され、発光態様３は、Ｄ１＝０（％）、Ｄ２＝２０（％）、Ｄ３＝１００（％）、Ｄ４＝５０（％）及びＤ５＝０（％）でもって特定され、また、発光態様４は、Ｄ１＝Ｄ２＝０（％）、Ｄ３＝２０（％）、Ｄ４＝１００（％）及びＤ５＝５０（％）でもって特定されている。
【００６７】
発光態様５は、図１４にて示すごとく、Ｄ１＝Ｄ２＝Ｄ３＝０（％）Ｄ４＝２０（％）及びＤ５＝１００（％）でもって特定され、発光態様６は、Ｄ１＝Ｄ２＝０（％）、Ｄ３＝５（％）、Ｄ４＝１０（％）及びＤ５＝２０（％）でもって特定され、発光態様７は、Ｄ１＝５（％）、Ｄ２＝Ｄ３＝０（％）、Ｄ４＝５（％）及びＤ５＝１０（％）でもって特定され、発光態様８は、Ｄ１＝１０（％）、Ｄ２＝５（％）、Ｄ３＝Ｄ４＝０（％）及びＤ５＝５（％）でもって特定され、また、発光態様９は、Ｄ１＝２０（％）、Ｄ２＝１０（％）、Ｄ３＝５（％）及びＤ４＝Ｄ５＝０（％）でもって特定されている。
【００６８】
発光駆動回路２００は、図１６にて示すごとく、各スイッチング回路２１０〜２５０でもって構成されている。スイッチング回路２１０は、パワートランジスタ２１１と、バイアス抵抗２１２と、コレクター抵抗２１３と、電界効果トランジスタ２１４とを備えている。なお、電界効果トランジスタは、以下、ＦＥＴともいう。
【００６９】
パワートランジスタ２１１は、そのゲート２１１ａにて、バイアス抵抗２１２を介して演出制御回路１００の出力ポートＰ１に接続されており、当該パワートランジスタ２１１のコレクター２１１ｂは、コレクター抵抗２１３を介して直流電源（図示しない）の正側端子に接続されている。なお、パワートランジスタ２１１のエミッターは接地されている。
【００７０】
しかして、当該パワートランジスタ２１１は、そのコレクター２１１ｂにて、抵抗２１３を介し上記直流電源から正の直流電圧＋Ｖｃを印加された状態で、そのゲート２１１ａにて、バイアス抵抗２１２を通して演出制御回路１００からその出力ポートＰ１を介しＬＥＤＬ１の発光駆動に必要なデューティ比Ｄ１に対応する第１−１〜第１−９のデューティ信号（後述する）のいずれかを入力されると、当該パワートランジスタ２１１は、第１−１〜第１−９のデューティ信号のいずれかのレベルに応じてスイッチング作動してオン或いはオフし、ローレベル或いはハイレベルのコレクター電圧を発生する。
【００７１】
ＦＥＴ２１４は、ＭＯＳ型のＰチャンネル電界効果トランジスタからなるもので、このＦＥＴ２１４は、そのゲート２１４ａにて、パワートランジスタ２１１のコレクター２１１ｂに接続されており、当該ＦＥＴ２１４のソース２１４ｂは、上記直流電源の正側端子に接続されている。また、当該ＦＥＴ２１４のドレイン２１４ｃは、ＬＥＤ１を介して接地されている。
【００７２】
しかして、当該ＦＥＴ２１４は、そのソース２１４ｂにて、上記直流電源から直流電圧＋Ｖｃを印加された状態にて、そのゲート２１４ａにて、パワートランジスタ２１１のコレクター２１１ｂからローレベル或いはハイレベルのコレクター電圧を印加されてスイッチング作動して、オン或いはオフする。
【００７３】
このため、上記直流電源から直流電圧＋Ｖｃに対応する直流電流が、ＦＥＴ２１４のオンに伴いＬＥＤ１に流入し、また、当該直流電流のＬＥＤ１に対する流入がＦＥＴ２１４のオフに伴い遮断される。このことは、ＬＥＤ１が、その上記直流電流の流入に基づき発光し、上記直流電流の流入の遮断に基づき発光を停止することを意味する。ここで、ＬＥＤ１の発光継続時間は、第１−１〜第１−９のデューティ信号のいずれかのハイレベル時間（後述する）に対応し、ＬＥＤ１の発光停止時間は、第１−１〜第１−９のデューティ信号のいずれかのローレベル時間（後述する）に対応する。
【００７４】
スイッチング回路２２０は、パワートランジスタ２２１と、バイアス抵抗２２２と、コレクター抵抗２２３と、ＦＥＴ２２４とを備えている。
【００７５】
パワートランジスタ２２１は、そのゲート２２１ａにて、バイアス抵抗２２２を介して演出制御回路１００の出力ポートＰ２に接続されており、当該パワートランジスタ２２１のコレクター２２１ｂは、コレクター抵抗２２３を介して直流電源の正側端子に接続されている。なお、パワートランジスタ２２１のエミッターは接地されている。
【００７６】
しかして、当該パワートランジスタ２２１は、そのコレクターにて、コレクター２２１ｂに、抵抗２２３を介し上記直流電源から正の直流電圧＋Ｖｃを印加された状態で、そのゲート２２１ａにて、バイアス抵抗２２２を通して演出制御回路１００からその出力ポートＰ２を介しＬＥＤＬ２の発光駆動に必要なデューティ比Ｄ２に対応する第２−１〜第２−９のデューティ信号（後述する）のいずれかを入力されると、当該パワートランジスタ２２１は、第２−１〜第２−９のデューティ信号のいずれかのレベルに応じてスイッチング作動してオン或いはオフし、ローレベル或いはハイレベルのコレクター電圧を発生する。
【００７７】
ＦＥＴ２２４は、ＭＯＳ型のＰチャンネル電界効果トランジスタからなるもので、このＦＥＴ２２４は、そのゲート２２４ａにて、パワートランジスタ２２１のコレクター２２１ｂに接続されており、当該ＦＥＴ２２４のソース２２４ｂは、直流電源の正側端子に接続されている。当該ＦＥＴ２２４のドレイン２２４ｂは、ＬＥＤ２を介して接地されている。
【００７８】
しかして、当該ＦＥＴ２２４は、そのソース２１４ｂにて上記直流電源から直流電圧＋Ｖｃを印加された状態にて、そのゲート２２４ａにて、パワートランジスタ２２１のコレクター２２１ｂからローレベル或いはハイレベルのコレクター電圧を印加されてスイッチング作動して、オン或いはオフする。このため、上記直流電源から直流電圧＋Ｖｃに対応する直流電流が、ＦＥＴ２２４のオンに伴いＬＥＤ２に流入し、また、当該直流電流のＬＥＤ２に対する流入がＦＥＴ２２４のオフに伴い遮断される。このことは、ＬＥＤ２が、その上記直流電流の流入に基づき発光し、上記直流電流の流入の遮断に基づき発光を停止することを意味する。ここで、ＬＥＤ２の発光継続時間は、第２−１〜第２−９のデューティ信号のいずれかのハイレベル時間（後述する）に対応し、ＬＥＤ２の発光停止時間は、第２−１〜第２−９のデューティ信号のいずれかのローレベル時間（後述する）に対応する。
【００７９】
スイッチング回路２３０は、パワートランジスタ２３１と、バイアス抵抗２３２と、コレクター抵抗２３３と、ＦＥＴ２３４とを備えている。
【００８０】
パワートランジスタ２３１は、そのゲート２３１ａにて、バイアス抵抗２３２を介して演出制御回路１００の出力ポートＰ３に接続されており、当該パワートランジスタ２３１のコレクター２３１ｂは、コレクター抵抗２３３を介して直流電源の正側端子に接続されている。なお、当該パワートランジスタ２３１のエミッタは接地されている。
【００８１】
しかして、当該パワートランジスタ２３１は、コレクター２３１ｂに、コレクター抵抗２３３を介し上記直流電源から正の直流電圧＋Ｖｃを印加された状態で、そのゲート２３１ａにて、バイアス抵抗２３２を通して演出制御回路１００からその出力ポートＰ３を介しＬＥＤＬ３の発光駆動に必要なデューティ比Ｄ３に対応する第３−１〜第３−９のデューティ信号（後述する）のいずれかを入力されると、当該パワートランジスタ２３１は、第３−１〜第３−９のデューティ信号のいずれかのレベルに応じてスイッチング作動してオン或いはオフし、ローレベル或いはハイレベルのコレクター電圧を発生する。
【００８２】
ＦＥＴ２３４は、ＭＯＳ型のＰチャンネル電界効果トランジスタからなるもので、このＦＥＴ２３４は、そのゲート２３４ａにて、パワートランジスタ２３１のコレクター２３１ｂに接続されており、当該ＦＥＴ２３４のソース２３４ａは、直流電源の正側端子に接続されている。また、当該ＦＥＴ２３４のドレイン２３４ｃは、ＬＥＤ３を介して接地されている。
【００８３】
しかして、当該ＦＥＴ２３４は、そのソース２３４ａにて上記直流電源から直流電圧＋Ｖｃを印加された状態にて、そのゲート２３４ａにて、パワートランジスタ２３１のコレクター２３１ｂからローレベル或いはハイレベルのコレクター電圧を印加されてスイッチング作動して、オン或いはオフする。このため、上記直流電源から直流電圧＋Ｖｃに対応する直流電流が、ＦＥＴ２３４のオンに伴いＬＥＤ３に流入し、また、当該直流電流のＬＥＤ３に対する流入がＦＥＴ２３４のオフに伴い遮断される。このことは、ＬＥＤ３が、その上記直流電流の流入に基づき発光し、上記直流電流の流入の遮断に基づき発光を停止することを意味する。ここで、ＬＥＤ３の発光継続時間は、第３−１〜第３−９のデューティ信号のいずれかのハイレベル時間（後述する）に対応し、ＬＥＤ３の発光停止時間は、第３−１〜第３−９のデューティ信号のいずれかのローレベル時間（後述する）に対応する。
【００８４】
スイッチング回路２４０は、パワートランジスタ２４１と、バイアス抵抗２４２と、コレクター抵抗２４３と、ＦＥＴ２４４とを備えている。
【００８５】
パワートランジスタ２４１は、そのゲート２４１ａにて、バイアス抵抗２４２を介して演出制御回路１００の出力ポートＰ４に接続されており、当該パワートランジスタ２４１のコレクター２４１ｂは、コレクター抵抗２４３を介して直流電源の正側端子に接続されている。なお、当該パワートランジスタ２４１のエミッタは接地されている。
【００８６】
しかして、当該パワートランジスタ２４１は、コレクター２４１ｂにて、コレクター抵抗２４３を介し上記直流電源から正の直流電圧＋Ｖｃを印加された状態で、そのゲート２４１ａにて、バイアス抵抗２４２を通して演出制御回路１００からその出力ポートＰ４を介しＬＥＤＬ４の発光駆動に必要なデューティ比Ｄ４に対応する第４−１〜第４−９のデューティ信号（後述する）のいずれかを入力されると、当該パワートランジスタ２４１は、第４−１〜第４−９のデューティ信号のいずれかのレベルに応じてスイッチング作動してオン或いはオフし、ローレベル或いはハイレベルのコレクター電圧を発生する。
【００８７】
ＦＥＴ２４４は、ＭＯＳ型のＰチャンネル電界効果トランジスタからなるもので、このＦＥＴ２４４は、そのゲート２４４ａにて、パワートランジスタ２４１のコレクター２４１ｂに接続されており、当該ＦＥＴ２４４のソース２４４ｂは、上記直流電源の正側端子に接続されている。当該ＦＥＴ２４４のドレイン２４４ｃは、ＬＥＤ４を介して接地されている。
【００８８】
しかして、当該ＦＥＴ２４４は、そのソース２４４ｂにて上記直流電源から直流電圧＋Ｖｃを印加された状態にて、そのゲート２４４ａにて、パワートランジスタ２４１のコレクター２４１ｂからローレベル或いはハイレベルのコレクター電圧を印加されてスイッチング作動して、オン或いはオフンする。このため、上記直流電源から直流電圧＋Ｖｃに対応する直流電流が、ＦＥＴ２４４のオンに伴いＬＥＤ４に流入し、また、当該直流電流のＬＥＤ４に対する流入がＦＥＴ２４４のオフに伴い遮断される。このことは、ＬＥＤ４が、その上記直流電流の流入に基づき発光し、上記直流電流の流入の遮断に基づき発光を停止することを意味する。ここで、ＬＥＤ４の発光継続時間は、第４−１〜第４−９のデューティ信号のいずれかのハイレベル時間（後述する）に対応し、ＬＥＤ４の発光停止時間は、第４−１〜第４−９のデューティ信号のいずれかのローレベル時間（後述する）に対応する。
【００８９】
スイッチング回路２５０は、パワートランジスタ２５１と、バイアス抵抗２５２と、コレクター抵抗２５３と、ＦＥＴ２５４とを備えている。
【００９０】
パワートランジスタ２５１は、そのゲート２５１ａにて、バイアス抵抗２５２を介して演出制御回路１００の出力ポートＰ５に接続されており、当該パワートランジスタ２５１のコレクター２５１ｂは、コレクター抵抗２５３を介して直流電源の正側端子に接続されている。
【００９１】
しかして、当該パワートランジスタ２５１は、そのコレクターにて、コレクター２５１ｂにて、コレクター抵抗２５３を介し上記直流電源から正の直流電圧＋Ｖｃを印加された状態で、そのゲート２５１ａにて、バイアス抵抗２５２を通して演出制御回路１００からその出力ポートＰ５を介しＬＥＤＬ５の発光駆動に必要なデューティ比Ｄ５に対応する第５−１〜第５−９のデューティ信号（後述する）のいずれかを入力されると、当該パワートランジスタ２５１は、第５−１〜第５−９のデューティ信号のいずれかのレベルに応じてスイッチング作動してオン或いはオフし、ローレベル或いはハイレベルのコレクター電圧を発生する。
【００９２】
ＦＥＴ２５４は、ＭＯＳ型のＰチャンネル電界効果トランジスタからなるもので、このＦＥＴ２５４は、そのゲート２５４ａにて、パワートランジスタ２５１のコレクター２５１ｂに接続されており、当該ＦＥＴ２５４のソース２５４ｂは上記直流電源の正側端子に接続されている。また、当該ＦＥＴ２５４のドレイン２５４ｃは、ＬＥＤ５を介して、接地されている。
【００９３】
しかして、当該ＦＥＴ２５４は、そのソース２５４ｂにて、上記直流電源から直流電圧＋Ｖｃを印加された状態にて、そのゲート２５４ａにて、パワートランジスタ２５１のコレクター２５１ｂからローレベル或いはハイレベルのコレクター電圧を印加されてスイッチング作動して、オン或いはオフする。このため、上記直流電源から直流電圧＋Ｖｃに対応する直流電流が、ＦＥＴ２５４のオンに伴いＬＥＤ５に流入し、また、当該直流電流のＬＥＤ５に対する流入がＦＥＴ２５４のオフに伴い遮断される。このことは、ＬＥＤ５が、その上記直流電流の流入に基づき発光し、上記直流電流の流入の遮断に基づき発光を停止することを意味する。ここで、ＬＥＤ５の発光継続時間は、第５−１〜第５−９のデューティ信号のいずれかのハイレベル時間（後述する）に対応し、ＬＥＤ５の発光停止時間は、第５−１〜第５−９のデューティ信号のいずれかのローレベル時間（後述する）に対応する。本実施形態では、上述した第１〜第５のデューティ信号の各周期は、共に、τで同一である。
【００９４】
以上のように構成した本第１実施形態において、演出制御回路１００が、図示しない電源から給電された作動状態になると、当該演出制御回路１００は、図１６〜図２４に従うコンピュータプログラムを、図１６のスタートステップにて実行し始める。
【００９５】
また、当該パチンコ遊技機の遊技盤２０の遊技領域２３内にガイドレール２２の外レール２２ａと内レール２２ｂとの間を通り順次案内される遊技球は、遊技盤２０の盤面２１に沿い下方へ転動していく。
【００９６】
ここで、このように転動する遊技球が、図１２にて示すごとく、光演出装置４０の入賞口体４３ｃ内にその上側開口部から進入すると、当該遊技球は、環状部材４１の凹状通路部４１ｅ、上側入賞球通路部材４８及び下側入賞球通路部材４９を通り排出される。
【００９７】
このような排出過程において、遊技球が上側入賞球通路部材４８の内部から下側入賞球通路部材４９の内部に転動するとき、当該遊技球は、始動入賞口センサ５０により入賞球として検出される。
【００９８】
また、上述のように転動する遊技球が、光演出装置４０の入賞口体４３ｃではなく、上記遊技盤２０の電動チューリップの電チュー入賞口に入賞する場合には、当該遊技球が、電チュー入賞口センサ６０により入賞球として検出される。
【００９９】
しかして、上述のような始動入賞口センサ５０或いは電チュー入賞口センサ６０が遊技球の入賞の検出に伴い、上記主基板回路において、所定の条件下で大当たり抽選が行われる。
【０１００】
また、上述した演出制御回路１００によるコンピュータプログラムのプログラムの実行に伴い、コンピュータプログラムがステップ３００に進むと、当該ステップ３００において、変数ｎ＝１か否かが判定される。ここで、変数ｎは、図１４に示す発光態様の番号を表す。例えば、ｎ＝１は、発光態様１を特定する。
【０１０１】
しかして、現段階にて、ｎ＝１でなければ、ステップ３００における判定はＮＯとなり、ステップ３０１において、ｎ＝１とセットされる。これに伴い、ステップ３００においてＹＥＳと判定される。
【０１０２】
すると、次のステップ３１０における第１発光態様データ読み出し処理において、図１４の発光態様１が上記ＲＯＭから第１発光態様データとして読み出される。ここで、当該第１発光態様データは、ＬＥＤ１のデューティ比Ｄ１＝１００（％）、ＬＥＤ２のデューティ比Ｄ２＝５０（％）、ＬＥＤ３のデューティ比Ｄ３＝０（％）、ＬＥＤ４のデューティ比Ｄ４＝０（％）及びＬＥＤ５のデューティ比Ｄ５＝０（％）でもって特定されている（図１４参照）。
【０１０３】
然る後、次のステップ３１１におけるデューティ信号形成処理において、ステップ３１０における第１発光態様データのＤ１＝１００（％）、Ｄ２＝５０（％）、Ｄ３＝０（％）、Ｄ４＝０（％）及びＤ５＝０（％）が、それぞれ、第１−１〜第５−１のデューティ信号として形成される。
【０１０４】
ここで、第１−１のデューティ信号は、デューティ比Ｄ１＝１００（％）に基づき、その周期に亘り、ハイレベルに形成され、また、第２−１のデューティ信号は、デューティ比Ｄ１＝５０（％）に基づき、その周期の前半部分及び後半部分にて、それぞれ、ハイレベル及びローレベルに形成される。
【０１０５】
また、第３−１のデューティ信号は、デューティ比Ｄ３＝０（％）に基づき、その周期に亘り、ローレベルに形成され、第４−１のデューティ信号は、デューティ比Ｄ４＝０（％）に基づき、その周期に亘り、ローレベルに形成され、また、第５−１のデューティ信号は、デューティ比Ｄ５＝０（％）に基づき、その周期に亘り、ローレベルに形成される。
【０１０６】
上述のようにステップ３１１においてデューティ信号の形成処理がなされると、次のステップ３１２におけるデューティ信号出力処理において、ステップ３１２における第１−１〜第５−１のデューティ信号が演出制御回路１００からその各出力ポートＰ１〜Ｐ５を介して発光駆動回路２００の各スイッチング回路２１０〜２５０に出力される。
【０１０７】
すると、スイッチング回路２１０においては、第１−１のデューティ信号がその周期に亘りハイレベルにあることから、パワートランジスタ２１１が、第１−１のデューティ信号に基づきその周期に亘りオンとなり、ＦＥＴ２１４が、パワートランジスタ２１１から生ずるローレベルのコレクター電圧に基づき、オンする。これに伴い、上記直流電源からその直流電圧＋Ｖｃに基づく直流電流が、ＦＥＴ２１４を通りＬＥＤＬ１に流入する。ここで、この直流電流の流入は、第１−１のデューティ信号の周期に亘り継続する。このため、ＬＥＤＬ１は、第１−１のデューティ信号の周期に亘り発光する。このことは、ＬＥＤＬ１の発光強度が最大値になることを意味する。
【０１０８】
スイッチング回路２２０においては、第２−１のデューティ信号がその周期の前半部分及び後半部分にてそれぞれハイレベル及びローレベルにあることから、パワートランジスタ２２１が、第２−１のデューティ信号に基づきその周期の前半部分に亘りオンとなり、然る後、第２−１のデューティ信号に基づきその周期の後半部分に亘りオフとなる。
【０１０９】
このため、ＦＥＴ２２４が、パワートランジスタ２２１から生ずるローレベルのコレクター電圧に基づき、オンし、然る後、パワートランジスタ２２１から生ずるハイレベルのコレクター電圧に基づきオフする。これに伴い、上記直流電源からその直流電圧＋Ｖｃに基づく直流電流が、ＦＥＴ２２４のオンの間当該ＦＥＴ２２４を通りＬＥＤＬ２に流入し、然る後、ＦＥＴ２２４のオフの間、ＬＥＤＬ２への流入を停止する。
【０１１０】
ここで、この直流電流の流入は、上述のごとく第２−１のデューティ信号の周期の前半部分に亘り継続するため、ＬＥＤＬ２は、第２−１のデューティ信号の周期の前半部分に亘り発光し、然る後、第２−１のデューティ信号の周期の後半部分の間、発光を停止する。このことは、ＬＥＤＬ２の発光強度は、ＬＥＤＬ１の発光強度の最大値の２分の１であることを意味する。
【０１１１】
スイッチング回路２３０においては、第３−１のデューティ信号がその周期に亘りローレベルにあることから、パワートランジスタ２３１が、第３−１のデューティ信号に基づきその周期に亘りオフとなり、ＦＥＴ２３４が、パワートランジスタ２３１から生ずるハイレベルのコレクター電圧に基づき、オフする。このため、上記直流電源からその直流電圧＋Ｖｃに基づく直流電流は、ＦＥＴ２３４から遮断される。従って、ＬＥＤＬ３は、第３−１のデューティ信号の周期に亘り発光を停止する。このことは、ＬＥＤＬ３の発光強度が零になることを意味する。
【０１１２】
スイッチング回路２４０においては、第４−１のデューティ信号がその周期に亘りローレベルにあることから、パワートランジスタ２４１が、第４−１のデューティ信号に基づきその周期に亘りオフとなり、ＦＥＴ２４４が、パワートランジスタ２４１から生ずるハイレベルのコレクター電圧に基づき、オフする。このため、上記直流電源からその直流電圧＋Ｖｃに基づく直流電流は、ＦＥＴ２４４から遮断される。従って、ＬＥＤＬ４は、第４−１のデューティ信号の周期に亘り発光を停止する。このことは、ＬＥＤＬ４の発光強度が零になることを意味する。
【０１１３】
また、スイッチング回路２５０においては、第５−１のデューティ信号がその周期に亘りローレベルにあることから、パワートランジスタ２５１が、第５−１のデューティ信号に基づきその周期に亘りオフとなり、ＦＥＴ２５４が、パワートランジスタ２５１から生ずるハイレベルのコレクター電圧に基づき、オフする。このため、上記直流電源からその直流電圧＋Ｖｃに基づく直流電流は、ＦＥＴ２５４から遮断される。従って、ＬＥＤＬ５は、第５−１のデューティ信号の周期に亘り発光を停止する。このことは、ＬＥＤＬ５の発光強度が零になることを意味する。
【０１１４】
上述した１−１〜５−１のデューティ信号は、ステップ３１２にて演出制御回路１００から同時に出力されるため、発光駆動回路２００では、ＬＥＤ１〜ＬＥＤ５が、同時に、発光駆動状態におかれる。このため、ＬＥＤ１及びＬＥＤ２は、各ＬＥＤ３〜ＬＥＤ５の発光停止状態にて、同時に発光するとともに、１−１及び２−１のデューティ信号の各周期（同一の周期）の間、発光を継続する（図２５の発光態様１参照）。但し、ＬＥＤ１はＬＥＤ２の２倍の発光強度で発光するから、ＬＥＤ２の明るさは、ＬＥＤ１の明るさの半分である。
【０１１５】
上述したステップ３１２の処理後、次のステップ３１３において、演出制御回路１００であるマイクロコンピュータに内蔵のソフトタイマーがリセットスタートされて、計時を開始する。
【０１１６】
しかして、ＬＥＤ１〜ＬＥＤ５が同時に発光駆動状態におかれた後、周期τが経過すると、ステップ３２０における判定がＹＥＳとなる。なお、ＬＥＤ１及びＬＥＤ２は、周期τの経過により、発光を停止する。
【０１１７】
ステップ３２０におけるＹＥＳとの判定に伴い、次のステップ３３０にて、変数ｎ＝２か否かが判定される。現段階では、ｎ＝１のままであるから、ステップ３３０においてＮＯと判定され、然る後、ステップ３３１において、変数ｎ＝２とセットされる。これに伴い、ステップ３３０においてＹＥＳと判定される。
【０１１８】
この判定後、上記コンピュータプログラムが図１７のステップ３３２に進むと、当該ステップ３３２における第２発光態様データ読み出し処理において、図１４の発光態様２が上記ＲＯＭから第２発光態様データとして読み出される。ここで、当該第２発光態様データは、デューティ比Ｄ１＝２０（％）、デューティ比Ｄ２＝１００（％）、デューティ比Ｄ３＝５０（％）、デューティ比Ｄ４＝０（％）及びデューティ比Ｄ５＝０（％）でもって特定されている（図１４参照）。
【０１１９】
然る後、次のステップ３３３におけるデューティ信号形成処理において、ステップ３３２における第２発光態様データのデューティ比Ｄ１＝２０（％）、デューティ比Ｄ２＝１００（％）、デューティ比Ｄ３＝５０（％）、デューティ比Ｄ４＝０（％）及びデューティ比Ｄ５＝０（％）が、それぞれ、第１−２〜第５−２のデューティ信号として形成される。
【０１２０】
ここで、第１−２のデューティ信号は、デューティ比Ｄ１＝２０（％）に基づき、その周期の前側１／５部分及び後側４／５部分に亘りそれぞれハイレベル及びローレベルに形成され、また、第２−２のデューティ信号は、デューティ比Ｄ１＝１００（％）に基づき、その周期に亘り、ハイレベルに形成される。
【０１２１】
また、第３−２のデューティ信号は、デューティ比Ｄ３＝５０（％）に基づき、その周期の前半部分及び後半部分に亘り、それぞれ、ハイレベル及びローレベルに形成され、第４−２のデューティ信号は、デューティ比Ｄ４＝０（％）に基づき、その周期に亘り、ローレベルに形成され、また、第５−２のデューティ信号は、デューティ比Ｄ５＝０（％）に基づき、その周期に亘り、ローレベルに形成される。
【０１２２】
上述のようにステップ３３３においてデューティ信号の形成処理がなされると、次のステップ３３４におけるデューティ信号出力処理において、ステップ３３３における第２−１〜第５−２のデューティ信号が演出制御回路１００からその各出力ポートＰ１〜Ｐ５を介して発光駆動回路２００の各スイッチング回路２１０〜２５０に出力される。
【０１２３】
すると、スイッチング回路２１０においては、第１−２のデューティ信号がその周期の前側１／５部分及び後側４／５部分に亘りそれぞれハイレベル及びローレベルにあることから、パワートランジスタ２１１が、第１−２のデューティ信号に基づきその周期の前側１／５部分に亘りオンとなり、然る後、第１−２のデューティ信号に基づきその周期の後側４／５部分に亘りオフとなる。
【０１２４】
このため、ＦＥＴ２１４が、パワートランジスタ２１１から生ずるローレベルのコレクター電圧に基づきオンし、然る後、パワートランジスタ２１１から生ずるハイレベルのコレクター電圧に基づきオフする。これに伴い、上記直流電源からその直流電圧＋Ｖｃに基づく直流電流が、ＦＥＴ２１４のオンの間当該ＦＥＴ２１４を通りＬＥＤＬ１に流入し然る後、ＦＥＴ２１４のオフの間、ＬＥＤＬ１への流入を停止する。
【０１２５】
ここで、この直流電流の流入は、第１−２のデューティ信号の周期の前側１／５部分に限られることから、ＬＥＤＬ１は、第１−２のデューティ信号の周期の前側１／５部分に限り発光する。このことは、ＬＥＤＬ１の発光強度がその最大値の１／５の強度に低下することを意味する。
【０１２６】
また、スイッチング回路２２０においては、第２−２のデューティ信号がその周期に亘りハイレベルにあることから、パワートランジスタ２２１が、第２−２のデューティ信号に基づきその周期に亘りオンとなる。
【０１２７】
このため、ＦＥＴ２２４が、パワートランジスタ２２１から生ずるローレベルのコレクター電圧に基づき、オンする。これに伴い、上記直流電源からその直流電圧＋Ｖｃに基づく直流電流が、ＦＥＴ２２４を通りＬＥＤＬ２に流入する。ここで、この直流電流の流入は、上述のごとく第２−２のデューティ信号の周期に亘り継続するため、ＬＥＤＬ２は、第２−２のデューティ信号の周期に亘り発光する。このことは、ＬＥＤＬ２の発光強度は、発光強度の最大値にあることを意味する。
【０１２８】
スイッチング回路２３０においては、第３−２のデューティ信号がその周期の前半部分及び後半部分に亘り、それぞれ、ローレベル及びハイレベルにあることから、パワートランジスタ２３１が、第３−２のデューティ信号に基づきその周期の前半部分に亘りオンとなり、当該第３−２のデューティ信号に基づきその周期の後半部分に亘りオフとなる。
【０１２９】
このため、ＦＥＴ２３４が、パワートランジスタ２３１から生ずるハイレベルのコレクター電圧に基づき、オンし、然る後、パワートランジスタ２３１から生ずるローレベルのコレクター電圧に基づきオフする。このため、上記直流電源からその直流電圧＋Ｖｃに基づく直流電流は、ＦＥＴ２３４のオンの間当該ＦＥＴ２３４を通りＬＥＤ３に流入し、然る後、ＦＥＴ２３４のオフの間当該ＦＥＴ２３４によりＬＥＤ３から遮断される。従って、ＬＥＤＬ３は、第３−２のデューティ信号の周期の前半部分に限り発光する。このことは、ＬＥＤＬ３の発光強度がその最大値の１／２に低下することを意味する。
【０１３０】
スイッチング回路２４０においては、第４−２のデューティ信号がその周期に亘りローレベルにあることから、パワートランジスタ２４１が、第４−２のデューティ信号に基づきその周期に亘りオフとなり、ＦＥＴ２４４が、パワートランジスタ２４１から生ずるハイレベルのコレクター電圧に基づき、オフする。このため、上記直流電源からその直流電圧＋Ｖｃに基づく直流電流は、ＦＥＴ２４４によりＬＥＤ４から遮断される。従って、ＬＥＤＬ４は、第４−２のデューティ信号の周期に亘り発光を停止する。このことは、ＬＥＤＬ４の発光強度が零に低下することを意味する。
【０１３１】
また、スイッチング回路２５０においては、第５−２のデューティ信号がその周期に亘りローレベルにあることから、パワートランジスタ２５１が、第５−２のデューティ信号に基づきその周期に亘りオフとなり、ＦＥＴ２５４が、パワートランジスタ２５１から生ずるハイレベルのコレクター電圧に基づき、オフする。このため、上記直流電源からその直流電圧＋Ｖｃに基づく直流電流は、ＦＥＴ２５４によりＬＥＤ５から遮断される。従って、ＬＥＤＬ５は、第５−２のデューティ信号の周期に亘り発光を停止する。このことは、ＬＥＤＬ５の発光強度が零に低下することを意味する。
【０１３２】
上述した１−２〜５−２のデューティ信号は、ステップ３３４にて演出制御回路１００から同時に出力されるため、発光駆動回路２００では、ＬＥＤ１〜ＬＥＤ５が、同時に、発光駆動状態におかれる。このため、ＬＥＤ１、ＬＥＤ２及びＬＥＤ３は、ＬＥＤ４及びＬＥＤ５の発光停止状態にて、同時に発光する。そして、ＬＥＤ１は、１−２のデューティ信号の周期の前側１／５部分に限り継続して発光し、ＬＥＤ２は、２−２のデューティ信号の周期に亘り継続して発光し、また、ＬＥＤ３は、３−２のデューティ信号の周期の前側部分に限り継続して発光する（図２５参照）。但し、ＬＥＤ１はＬＥＤ２の１／５の発光強度で発光するから、ＬＥＤ１の明るさは、ＬＥＤ２の明るさの１／５であり、ＬＥＤ３はＬＥＤ２の１／２の発光強度で発光するから、当該ＬＥＤ３の明るさは、ＬＥＤ２の明るさの１／２であるとともにＬＥＤ１の明るさの２．５倍である。
【０１３３】
上述したステップ３３４の処理後、次のステップ３３５において、上記ソフトタイマーがリセットスタートされて、計時を開始する。
【０１３４】
しかして、ＬＥＤ１〜ＬＥＤ５が同時に発光駆動状態におかれた後、周期τが経過すると、ステップ３４０における判定がＹＥＳとなる。なお、ＬＥＤ２は、周期τの経過により、発光を停止する。
【０１３５】
ステップ３４０におけるＹＥＳとの判定に伴い、次のステップ３５０にて、変数ｎ＝３か否かが判定される。現段階では、ｎ＝２のままであるから、ステップ３５０においてＮＯと判定され、然る後、ステップ３５１において、変数ｎ＝３とセットされる。これに伴い、ステップ３５０においてＹＥＳと判定される。
【０１３６】
この判定後、上記コンピュータプログラムが図１８のステップ３６０に進むと、当該ステップ３６０における第３発光態様データ読み出し処理において、図１４の発光態様３が上記ＲＯＭから第３発光態様データとして読み出される。ここで、当該第３発光態様データは、デューティ比Ｄ１＝０（％）、デューティ比Ｄ２＝２０（％）、デューティ比Ｄ３＝１００（％）、デューティ比Ｄ４＝５０（％）及びデューティ比Ｄ５＝０（％）でもって特定されている（図１４参照）。
【０１３７】
然る後、次のステップ３６１におけるデューティ信号形成処理において、ステップ３６０における第３発光態様データのデューティ比Ｄ１＝０（％）、デューティ比Ｄ２＝２０（％）、デューティ比Ｄ３＝１００（％）、デューティ比Ｄ４＝５０（％）及びデューティ比Ｄ５＝０（％）が、それぞれ、第１−３〜第５−３のデューティ信号として形成される。
【０１３８】
ここで、第１−３のデューティ信号は、デューティ比Ｄ１＝０（％）に基づき、その周期に亘りハイレベルに形成され、第２−３のデューティ信号は、デューティ比Ｄ２＝２０（％）に基づき、その周期の前側１／５部分及び後側４／５部分に亘りそれぞれハイレベル及びローレベルに形成され、また、第３−３のデューティ信号は、デューティ比Ｄ３＝１００（％）に基づき、その周期に亘り、ハイレベルに形成される。
【０１３９】
また、第４−３のデューティ信号は、デューティ比Ｄ４＝５０（％）に基づき、その周期の前半部分及び後半部分に亘り、それぞれ、ハイレベル及びローレベルに形成され、また、第５−３のデューティ信号は、デューティ比Ｄ５＝０（％）に基づき、その周期に亘り、ローレベルに形成される。
【０１４０】
上述のようにステップ３６１においてデューティ信号の形成処理がなされると、次のステップ３６２におけるデューティ信号出力処理において、ステップ３６２における第１−３〜第５−３のデューティ信号が演出制御回路１００からその各出力ポートＰ１〜Ｐ５を介して発光駆動回路２００の各スイッチング回路２１０〜２５０に出力される。
【０１４１】
すると、スイッチング回路２１０においては、第１−３のデューティ信号がその周期に亘りハイレベルにあることから、パワートランジスタ２１１が、第１−３のデューティ信号に基づきその周期に亘りオフとなる。このため、ＦＥＴ２１４が、パワートランジスタ２１１から生ずるハイレベルのコレクター電圧に基づきオフする。これに伴い、上記直流電源からその直流電圧＋Ｖｃに基づく直流電流が、ＦＥＴ２１４のオフによりＬＥＤＬ１から遮断される。
【０１４２】
また、スイッチング回路２２０においては、第２−３のデューティ信号がその周期の前側１／５部分及び後側４／５部分に亘りそれぞれハイレベル及びローレベルにあることから、パワートランジスタ２２１が、第２−３のデューティ信号に基づきその周期の前側１／５部分に亘りオンとなり、然る後、第３−３のデューティ信号に基づきその周期の後側４／５部分に亘りオフとなる。
【０１４３】
このため、ＦＥＴ２２４が、パワートランジスタ２２１から生ずるローレベルのコレクター電圧に基づきオンし、然る後、パワートランジスタ２２１から生ずるハイレベルのコレクター電圧に基づきオフする。これに伴い、上記直流電源からその直流電圧＋Ｖｃに基づく直流電流が、ＦＥＴ２２４のオンの間当該ＦＥＴ２２４を通りＬＥＤＬ２に流入し然る後、ＦＥＴ２２４のオフの間、ＬＥＤＬ２への流入を停止する。
【０１４４】
ここで、この直流電流の流入は、第２−３のデューティ信号の周期の前側１／５部分に限られることから、ＬＥＤＬ２は、第２−３のデューティ信号の周期の前側１／５部分に限り発光する。このことは、ＬＥＤＬ２の発光強度がその最大値の１／５の強度に低下することを意味する。
【０１４５】
また、スイッチング回路２３０においては、第１−３のデューティ信号がその周期に亘りハイレベルにあることから、パワートランジスタ２３１が、第１−３のデューティ信号に基づきその周期に亘りオンとなる。
【０１４６】
このため、ＦＥＴ２３４が、パワートランジスタ２３１から生ずるローレベルのコレクター電圧に基づき、オンする。これに伴い、上記直流電源からその直流電圧＋Ｖｃに基づく直流電流が、ＦＥＴ２３４を通りＬＥＤＬ３に流入する。ここで、この直流電流の流入は、上述のごとく第１−３のデューティ信号の周期に亘り継続するため、ＬＥＤＬ３は、第１−３のデューティ信号の周期に亘り発光する。このことは、ＬＥＤＬ３の発光強度は、発光強度の最大値にあることを意味する。
【０１４７】
スイッチング回路２４０においては、第４−３のデューティ信号がその周期の前半部分及び後半部分に亘り、それぞれ、ローレベル及びハイレベルにあることから、パワートランジスタ２４１が、第４−３のデューティ信号に基づきその周期の前半部分に亘りオンとなり、当該第４−３のデューティ信号に基づきその周期の後半部分に亘りオフとなる。
【０１４８】
このため、ＦＥＴ２４４が、パワートランジスタ２４１から生ずるハイレベルのコレクター電圧に基づき、オンし、然る後、パワートランジスタ２４１から生ずるローレベルのコレクター電圧に基づきオフする。このため、上記直流電源からその直流電圧＋Ｖｃに基づく直流電流は、ＦＥＴ２４４のオンの間当該ＦＥＴ２４４を通りＬＥＤ４に流入し、然る後、ＦＥＴ２４４のオフの間当該ＦＥＴ２４４によりＬＥＤ４から遮断される。従って、ＬＥＤＬ４は、第４−３のデューティ信号の周期の前半部分に限り発光する。このことは、ＬＥＤＬ４の発光強度がその最大値の１／２に低下することを意味する。
【０１４９】
また、スイッチング回路２５０においては、第５−３のデューティ信号がその周期に亘りローレベルにあることから、パワートランジスタ２５１が、第５−３のデューティ信号に基づきその周期に亘りオフとなり、ＦＥＴ２５４が、パワートランジスタ２５１から生ずるハイレベルのコレクター電圧に基づき、オフする。このため、上記直流電源からその直流電圧＋Ｖｃに基づく直流電流は、ＦＥＴ２５４によりＬＥＤ５から遮断される。従って、ＬＥＤＬ５は、第５−３のデューティ信号の周期に亘り発光を停止する。このことは、ＬＥＤＬ５の発光強度が零に低下することを意味する。
【０１５０】
上述した１−３〜５−３のデューティ信号は、ステップ３６２にて演出制御回路１００から同時に出力されるため、発光駆動回路２００では、ＬＥＤ１〜ＬＥＤ５が、同時に、発光駆動状態におかれる。このため、ＬＥＤ２、ＬＥＤ３及びＬＥＤ４は、ＬＥＤ１及びＬＥＤ５の発光停止状態にて、同時に発光する。そして、ＬＥＤ２は、２−３のデューティ信号の周期の前側１／５部分に限り継続して発光し、ＬＥＤ３は、３−３のデューティ信号の周期に亘り継続して発光し、また、ＬＥＤ４は、４−３のデューティ信号の周期の前側部分に限り継続して発光する（図２５参照）。但し、ＬＥＤ２はＬＥＤ３の１／５の発光強度で発光するから、ＬＥＤ２の明るさは、ＬＥＤ３の明るさの１／５であり、ＬＥＤ４はＬＥＤ３の１／２の発光強度で発光するから、当該ＬＥＤ４の明るさは、ＬＥＤ３の明るさの１／２であるとともにＬＥＤ２の明るさの２．５倍である。
【０１５１】
上述したステップ３６２の処理後、次のステップ３６３において、上記ソフトタイマーがリセットスタートされて、計時を開始する。
【０１５２】
しかして、ＬＥＤ１〜ＬＥＤ５が同時に発光駆動状態におかれた後、周期τが経過すると、ステップ３７０における判定がＹＥＳとなる。なお、ＬＥＤ３は、周期τの経過により、発光を停止する。
【０１５３】
ステップ３７０におけるＹＥＳとの判定に伴い、次のステップ３８０にて、変数ｎ＝４か否かが判定される。現段階では、ｎ＝３のままであるから、ステップ３８０においてＮＯと判定され、然る後、ステップ３８１において、変数ｎ＝４とセットされる。これに伴い、ステップ３８０においてＹＥＳと判定される。
【０１５４】
この判定後、上記コンピュータプログラムが図１９のステップ３９０に進むと、当該ステップ３９０における第４発光態様データ読み出し処理において、図１４の発光態様４が上記ＲＯＭから第４発光態様データとして読み出される。ここで、当該第４発光態様データは、デューティ比Ｄ１＝０（％）、デューティ比Ｄ２＝０（％）、デューティ比Ｄ３＝２０（％）、デューティ比Ｄ４＝１００（％）及びデューティ比Ｄ５＝５０（％）でもって特定されている（図１４参照）。
【０１５５】
然る後、次のステップ３９１におけるデューティ信号形成処理において、ステップ３９０における第４発光態様データのデューティ比Ｄ１＝０（％）、デューティ比Ｄ２＝０（％）、デューティ比Ｄ３＝２０（％）、デューティ比Ｄ４＝１００（％）及びデューティ比Ｄ５＝５０（％）が、それぞれ、第１−４〜第５−４のデューティ信号として形成される。
【０１５６】
ここで、第１−４のデューティ信号は、デューティ比Ｄ１＝０（％）に基づき、その周期に亘りハイレベルに形成され、第２−４のデューティ信号も、デューティ比Ｄ２＝０（％）に基づき、同様にその周期に亘りハイレベルに形成され、第３−４のデューティ信号は、デューティ比Ｄ３＝２０（％）に基づき、その周期の前側１／５部分及び後側４／５部分に亘りそれぞれハイレベル及びローレベルに形成される。
【０１５７】
また、第４−４のデューティ信号は、デューティ比Ｄ４＝１００（％）に基づき、その周期に亘り、ハイレベルに形成され、また、第５−４のデューティ信号は、デューティ比Ｄ５＝５０（％）に基づき、その周期の前半部分及び後半部分に亘り、それぞれ、ハイレベル及びローレベルに形成される。
【０１５８】
上述のようにステップ３９１においてデューティ信号の形成処理がなされると、次のステップ３９２におけるデューティ信号出力処理において、ステップ３９１における第１−４〜第５−４のデューティ信号が演出制御回路１００からその各出力ポートＰ１〜Ｐ５を介して発光駆動回路２００の各スイッチング回路２１０〜２５０に出力される。
【０１５９】
すると、スイッチング回路２１０においては、第１−４のデューティ信号がその周期に亘りハイレベルにあることから、パワートランジスタ２１１が、第１−４のデューティ信号に基づきその周期に亘りオフとなる。このため、ＦＥＴ２１４が、パワートランジスタ２１１から生ずるハイレベルのコレクター電圧に基づきオフする。これに伴い、上記直流電源からその直流電圧＋Ｖｃに基づく直流電流が、ＦＥＴ２１４のオフによりＬＥＤＬ１から遮断される。
【０１６０】
また、スイッチング回路２２０においては、第２−４のデューティ信号も、その周期に亘り、同様にハイレベルにあることから、パワートランジスタ２２１が、第２−４のデューティ信号に基づきその周期に亘りオフとなる。このため、ＦＥＴ２２４が、パワートランジスタ２２１から生ずるハイレベルのコレクター電圧に基づきオフする。これに伴い、上記直流電源からその直流電圧＋Ｖｃに基づく直流電流が、ＦＥＴ２２４のオフによりＬＥＤＬ２から遮断される。
【０１６１】
また、スイッチング回路２３０においては、第３−４のデューティ信号がその周期の前側１／５部分及び後側４／５部分に亘りそれぞれハイレベル及びローレベルにあることから、パワートランジスタ２３１が、第３−４のデューティ信号に基づきその周期の前側１／５部分に亘りオンとなり、然る後、第３−４のデューティ信号に基づきその周期の後側４／５部分に亘りオフとなる。
【０１６２】
このため、ＦＥＴ２３４が、パワートランジスタ２３１から生ずるローレベルのコレクター電圧に基づきオンし、然る後、パワートランジスタ２３１から生ずるハイレベルのコレクター電圧に基づきオフする。これに伴い、上記直流電源からその直流電圧＋Ｖｃに基づく直流電流が、ＦＥＴ２３４のオンの間当該ＦＥＴ２３４を通りＬＥＤＬ３に流入し然る後、ＦＥＴ２３４のオフの間、ＬＥＤＬ３への流入を停止する。
【０１６３】
ここで、この直流電流の流入は、第３−４のデューティ信号の周期の前側１／５部分に限られることから、ＬＥＤＬ３は、第３−４のデューティ信号の周期の前側１／５部分に限り発光する。このことは、ＬＥＤＬ３の発光強度がその最大値の１／５の強度に低下することを意味する。
【０１６４】
また、スイッチング回路２４０においては、第４−４のデューティ信号がその周期に亘りハイレベルにあることから、パワートランジスタ２４１が、第４−４のデューティ信号に基づきその周期に亘りオンとなる。
【０１６５】
このため、ＦＥＴ２４４が、パワートランジスタ２４１から生ずるローレベルのコレクター電圧に基づき、オンする。これに伴い、上記直流電源からその直流電圧＋Ｖｃに基づく直流電流が、ＦＥＴ２４４を通りＬＥＤＬ４に流入する。ここで、この直流電流の流入は、上述のごとく第４−４のデューティ信号の周期に亘り継続するため、ＬＥＤＬ４は、第４−４のデューティ信号の周期に亘り発光する。このことは、ＬＥＤＬ４の発光強度は、発光強度の最大値にあることを意味する。
【０１６６】
スイッチング回路２５０においては、第５−４のデューティ信号がその周期の前半部分及び後半部分に亘り、それぞれ、ローレベル及びハイレベルにあることから、パワートランジスタ２５１が、第５−４のデューティ信号に基づきその周期の前半部分に亘りオンとなり、当該第５−４のデューティ信号に基づきその周期の後半部分に亘りオフとなる。
【０１６７】
このため、ＦＥＴ２５４が、パワートランジスタ２５１から生ずるハイレベルのコレクター電圧に基づき、オンし、然る後、パワートランジスタ２５１から生ずるローレベルのコレクター電圧に基づきオフする。このため、上記直流電源からその直流電圧＋Ｖｃに基づく直流電流は、ＦＥＴ２５４のオンの間当該ＦＥＴ２５４を通りＬＥＤ５に流入し、然る後、ＦＥＴ２５４のオフの間当該ＦＥＴ２５４によりＬＥＤ５から遮断される。従って、ＬＥＤＬ５は、第５−４のデューティ信号の周期の前半部分に限り発光する。このことは、ＬＥＤＬ５の発光強度がその最大値の１／２に低下することを意味する。
【０１６８】
上述した１−４〜５−４のデューティ信号は、ステップ３９２にて演出制御回路１００から同時に出力されるため、発光駆動回路２００では、ＬＥＤ１〜ＬＥＤ５が、同時に、発光駆動状態におかれる。このため、ＬＥＤ３、ＬＥＤ４及びＬＥＤ５は、ＬＥＤ１及びＬＥＤ２の発光停止状態にて、同時に発光する。そして、ＬＥＤ３は、３−４のデューティ信号の周期の前側１／５部分に限り継続して発光し、ＬＥＤ４は、４−４のデューティ信号の周期に亘り継続して発光し、また、ＬＥＤ５は、５−４のデューティ信号の周期の前側半分部分に限り継続して発光する（図２５参照）。但し、ＬＥＤ３はＬＥＤ４の１／５の発光強度で発光するから、ＬＥＤ３の明るさは、ＬＥＤ４の明るさの１／５であり、ＬＥＤ５はＬＥＤ４の１／２の発光強度で発光するから、当該ＬＥＤ５の明るさは、ＬＥＤ３の明るさの１／２であるとともにＬＥＤ２の明るさの２．５倍である。
【０１６９】
上述したステップ３９２の処理後、次のステップ３９３において、上記ソフトタイマーがリセットスタートされて、計時を開始する。
【０１７０】
しかして、ＬＥＤ１〜ＬＥＤ５が同時に発光駆動状態におかれた後、周期τが経過すると、ステップ４００における判定がＹＥＳとなる。なお、ＬＥＤ４は、周期τの経過により、発光を停止する。
【０１７１】
ステップ４００におけるＹＥＳとの判定に伴い、次のステップ４１０にて、変数ｎ＝５か否かが判定される。現段階では、ｎ＝４のままであるから、ステップ４１０においてＮＯと判定され、然る後、ステップ４１１において、変数ｎ＝５とセットされる。これに伴い、ステップ４１０においてＹＥＳと判定される。
【０１７２】
この判定後、上記コンピュータプログラムが図２０のステップ４２０に進むと、当該ステップ４２０における第５発光態様データ読み出し処理において、図１４の発光態様５が上記ＲＯＭから第５発光態様データとして読み出される。ここで、当該第５発光態様データは、各デューティ比Ｄ１＝Ｄ２＝Ｄ３＝０（％）、デューティ比Ｄ４＝２０（％）及びデューティ比Ｄ５＝１００（％）でもって特定されている（図１４参照）。
【０１７３】
然る後、次のステップ４２１におけるデューティ信号形成処理において、ステップ４２０における第５発光態様データの各デューティ比Ｄ１＝Ｄ２＝Ｄ３＝０（％）、デューティ比Ｄ４＝２０（％）及びデューティ比Ｄ５＝１００（％）が、それぞれ、第１−５〜第５−５のデューティ信号として形成される。
【０１７４】
ここで、第１−５〜第３−５の各デューティ信号は、それぞれ、各デューティ比Ｄ１＝Ｄ２＝Ｄ３＝０（％）に基づき、その周期に亘りハイレベルに形成される。
【０１７５】
また、第４−５のデューティ信号は、デューティ比Ｄ４＝２０（％）に基づき、その周期の前側１／５部分及び後側４／５部分に亘りそれぞれハイレベル及びローレベルに形成され、また、第５−５のデューティ信号は、デューティ比Ｄ５＝１００（％）に基づき、その周期に亘り、ハイレベルに形成される。
【０１７６】
上述のようにステップ４２１においてデューティ信号の形成処理がなされると、次のステップ４２２におけるデューティ信号出力処理において、ステップ４２１における第１−５〜第５−５のデューティ信号が演出制御回路１００からその各出力ポートＰ１〜Ｐ５を介して発光駆動回路２００の各スイッチング回路２１０〜２５０に出力される。
【０１７７】
すると、スイッチング回路２１０においては、第１−５のデューティ信号がその周期に亘りハイレベルにあることから、パワートランジスタ２１１が、第１−５のデューティ信号に基づきその周期に亘りオフとなる。このため、ＦＥＴ２１４が、パワートランジスタ２１１から生ずるハイレベルのコレクター電圧に基づきオフする。これに伴い、上記直流電源からその直流電圧＋Ｖｃに基づく直流電流が、ＦＥＴ２１４のオフによりＬＥＤＬ１から遮断される。
【０１７８】
また、スイッチング回路２２０においては、第２−５のデューティ信号も、その周期に亘り、同様にハイレベルにあることから、パワートランジスタ２２１が、第２−５のデューティ信号に基づきその周期に亘りオフとなる。このため、ＦＥＴ２２４が、パワートランジスタ２２１から生ずるハイレベルのコレクター電圧に基づきオフする。これに伴い、上記直流電源からその直流電圧＋Ｖｃに基づく直流電流が、ＦＥＴ２２４のオフによりＬＥＤＬ２から遮断される。
【０１７９】
また、スイッチング回路２３０においては、第３−５のデューティ信号も、その周期に亘り、同様にハイレベルにあることから、パワートランジスタ２３１が、第３−５のデューティ信号に基づきその周期に亘りオフとなる。このため、ＦＥＴ２３４が、パワートランジスタ２３１から生ずるハイレベルのコレクター電圧に基づきオフする。これに伴い、上記直流電源からその直流電圧＋Ｖｃに基づく直流電流が、ＦＥＴ２３４のオフによりＬＥＤＬ３から遮断される。
【０１８０】
また、スイッチング回路２４０においては、第４−５のデューティ信号がその周期の前側１／５部分及び後側４／５部分に亘りそれぞれハイレベル及びローレベルにあることから、パワートランジスタ２４１が、第４−５のデューティ信号に基づきその周期の前側１／５部分に亘りオンとなり、然る後、第４−５のデューティ信号に基づきその周期の後側４／５部分に亘りオフとなる。
【０１８１】
このため、ＦＥＴ２４４が、パワートランジスタ２４１から生ずるローレベルのコレクター電圧に基づきオンし、然る後、パワートランジスタ２４１から生ずるハイレベルのコレクター電圧に基づきオフする。これに伴い、上記直流電源からその直流電圧＋Ｖｃに基づく直流電流が、ＦＥＴ２４４のオンの間当該ＦＥＴ２４４を通りＬＥＤＬ４に流入し、然る後、ＦＥＴ２４４のオフの間、ＬＥＤＬ４への流入を停止する。
【０１８２】
ここで、この直流電流の流入は、第４−５のデューティ信号の周期の前側１／５部分に限られることから、ＬＥＤＬ４は、第４−５のデューティ信号の周期の前側１／５部分に限り発光する。このことは、ＬＥＤＬ４の発光強度がその最大値の１／５の強度に低下することを意味する。
【０１８３】
また、スイッチング回路２５０においては、第５−５のデューティ信号がその周期に亘りハイレベルにあることから、パワートランジスタ２５１が、第５−５のデューティ信号に基づきその周期に亘りオンとなる。
【０１８４】
このため、ＦＥＴ２５４が、パワートランジスタ２５１から生ずるローレベルのコレクター電圧に基づき、オンする。これに伴い、上記直流電源からその直流電圧＋Ｖｃに基づく直流電流が、ＦＥＴ２５４を通りＬＥＤＬ５に流入する。ここで、この直流電流の流入は、上述のごとく第５−５のデューティ信号の周期に亘り継続するため、ＬＥＤＬ５は、第５−５のデューティ信号の周期に亘り発光する。このことは、ＬＥＤＬ５の発光強度は、発光強度の最大値にあることを意味する。
【０１８５】
上述した１−５〜５−５のデューティ信号は、ステップ４２２にて演出制御回路１００から同時に出力されるため、発光駆動回路２００では、ＬＥＤ１〜ＬＥＤ５が、同時に、発光駆動状態におかれる。このため、ＬＥＤ４及びＬＥＤ５は、ＬＥＤ１〜ＬＥＤ３の発光停止状態にて、同時に発光する。そして、ＬＥＤ４は、４−５のデューティ信号の周期の前側１／５部分に限り継続して発光し、ＬＥＤ５は、５−５のデューティ信号の周期に亘り継続して発光する（図２５参照）。但し、ＬＥＤ４はＬＥＤ５の１／５の発光強度で発光するから、ＬＥＤ４の明るさは、ＬＥＤ５の明るさの１／５である。
【０１８６】
上述したステップ４２２の処理後、次のステップ４２３において、上記ソフトタイマーがリセットスタートされて、計時を開始する。
【０１８７】
しかして、ＬＥＤ１〜ＬＥＤ５が同時に発光駆動状態におかれた後、周期τが経過すると、ステップ４３０における判定がＹＥＳとなる。なお、ＬＥＤ５は、周期τの経過により、発光を停止する。
【０１８８】
ステップ４３０におけるＹＥＳとの判定に伴い、次のステップ４４０にて、変数ｎ＝６か否かが判定される。現段階では、ｎ＝５のままであるから、ステップ４４０においてＮＯと判定され、然る後、ステップ４４１において、変数ｎ＝６とセットされる。これに伴い、ステップ４４０においてＹＥＳと判定される。
【０１８９】
この判定後、上記コンピュータプログラムが図２１のステップ４５０に進むと、当該ステップ４５０における第６発光態様データ読み出し処理において、図１４の発光態様６が上記ＲＯＭから第６発光態様として読み出される。ここで、当該第６発光態様データは、各デューティ比Ｄ１＝Ｄ２＝０（％）、デューティ比Ｄ３＝５（％）、デューティ比Ｄ４＝１０（％）及びデューティ比Ｄ５＝２０（％）でもって特定されている（図１４参照）。
【０１９０】
然る後、次のステップ４５１におけるデューティ信号形成処理において、ステップ４５０における第６発光態様データの各デューティ比Ｄ１＝Ｄ２＝０（％）、デューティ比Ｄ３＝５（％）、デューティ比Ｄ４＝１０（％）及びデューティ比Ｄ５＝２０（％）が、それぞれ、第１−６〜第５−６のデューティ信号として形成される。
【０１９１】
ここで、第１−６及び第２−６の各デューティ信号は、それぞれ、各デューティ比Ｄ１＝Ｄ２＝０（％）に基づき、その周期に亘りハイレベルに形成される。また、第３−６のデューティ信号は、デューティ比Ｄ３＝５（％）に基づき、その周期の前側１／２０部分及び後側１９／２０部分に亘りそれぞれハイレベル及びローレベルに形成される。
【０１９２】
また、第４−６のデューティ信号は、デューティ比Ｄ４＝１０（％）に基づき、その周期の前側１／１０部分及び後側９／１０部分に亘りそれぞれハイレベル及びローレベルに形成され、また、第５−６のデューティ信号は、デューティ比Ｄ４＝２０（％）に基づき、その周期の前側１／５部分及び後側４／５部分に亘りそれぞれハイレベル及びローレベルに形成される。
【０１９３】
上述のようにステップ４５１においてデューティ信号の形成処理がなされると、次のステップ４５２におけるデューティ信号出力処理において、ステップ４５１における第１−６〜第５−６のデューティ信号が演出制御回路１００からその各出力ポートＰ１〜Ｐ５を介して発光駆動回路２００の各スイッチング回路２１０〜２５０に出力される。
【０１９４】
すると、スイッチング回路２１０においては、第１−６のデューティ信号がその周期に亘りハイレベルにあることから、パワートランジスタ２１１が、第１−６のデューティ信号に基づきその周期に亘りオフとなる。このため、ＦＥＴ２１４が、パワートランジスタ２１１から生ずるハイレベルのコレクター電圧に基づきオフする。これに伴い、上記直流電源からその直流電圧＋Ｖｃに基づく直流電流が、ＦＥＴ２１４のオフによりＬＥＤＬ１から遮断される。
【０１９５】
また、スイッチング回路２２０においては、第２−６のデューティ信号も、その周期に亘り、同様にハイレベルにあることから、パワートランジスタ２２１が、第２−６のデューティ信号に基づきその周期に亘りオフとなる。このため、ＦＥＴ２２４が、パワートランジスタ２２１から生ずるハイレベルのコレクター電圧に基づきオフする。これに伴い、上記直流電源からその直流電圧＋Ｖｃに基づく直流電流が、ＦＥＴ２２４のオフによりＬＥＤＬ２から遮断される。
【０１９６】
また、スイッチング回路２３０においては、第３−６のデューティ信号は、その周期の前側１／２０部分及び後側１９／２０部分がそれぞれハイレベル及びローレベルにあることから、パワートランジスタ２３１が、第３−６のデューティ信号に基づきその周期の前側１／２０部分に亘りオンとなり、然る後、第３−６のデューティ信号に基づきその周期の後側１９／２０部分に亘りオフとなる。
【０１９７】
このため、ＦＥＴ２３４が、パワートランジスタ２３１から生ずるローレベルのコレクター電圧に基づきオンし、然る後、パワートランジスタ２３１から生ずるハイレベルのコレクター電圧に基づきオフする。これに伴い、上記直流電源からその直流電圧＋Ｖｃに基づく直流電流が、ＦＥＴ２３４のオンの間当該ＦＥＴ２３４を通りＬＥＤ３に流入し、然る後、ＦＥＴ２３４のオフの間当該ＦＥＴ２３４によりＬＥＤＬ３から遮断される。
【０１９８】
また、スイッチング回路２４０においては、第４−６のデューティ信号がその周期の前側１／１０部分及び後側９／１０部分に亘りそれぞれハイレベル及びローレベルにあることから、パワートランジスタ２４１が、第４−６のデューティ信号に基づきその周期の前側１／１０部分に亘りオンとなり、然る後、第４−６のデューティ信号に基づきその周期の後側９／１０部分に亘りオフとなる。
【０１９９】
このため、ＦＥＴ２４４が、パワートランジスタ２４１から生ずるローレベルのコレクター電圧に基づきオンし、然る後、パワートランジスタ２４１から生ずるハイレベルのコレクター電圧に基づきオフする。これに伴い、上記直流電源からその直流電圧＋Ｖｃに基づく直流電流が、ＦＥＴ２４４のオンの間当該ＦＥＴ２４４を通りＬＥＤＬ４に流入し然る後、ＦＥＴ２４４のオフの間、ＬＥＤＬ４への流入を停止する。
【０２００】
ここで、この直流電流の流入は、第４−６のデューティ信号の周期の前側１／１０部分に限られることから、ＬＥＤＬ４は、第４−６のデューティ信号の周期の前側１／１０部分に限り発光する。このことは、ＬＥＤＬ４の発光強度がその最大値の１／１０の強度に低下することを意味する。
【０２０１】
また、スイッチング回路２５０においては、第５−６のデューティ信号がその周期の前側１／５部分及び後側４／５部分に亘りそれぞれハイレベル及びローレベルにあることから、パワートランジスタ２５１が、第５−６のデューティ信号に基づきその周期の前側１／５部分に亘りオンとなり、然る後、第５−６のデューティ信号に基づきその周期の後側４／５部分に亘りオフする。
【０２０２】
このため、ＦＥＴ２５４が、パワートランジスタ２５１から生ずるローレベルのコレクター電圧に基づき、オンし、然る後、パワートランジスタ２５１から生ずるハイレベルのコレクター電圧に基づきオフする。これに伴い、上記直流電源からその直流電圧＋Ｖｃに基づく直流電流が、ＦＥＴ２５４のオンの間当該ＦＥＴ２５４を通りＬＥＤＬ５に流入し、然る後、ＦＥＴ２５４のオフの間当該ＦＥＴ２５４によりＬＥＤ５から遮断される。ここで、この直流電流の流入は、上述のごとく、第５−６のデューティ信号の周期の前側１／５部分に亘り継続するため、ＬＥＤＬ５は、第５−６のデューティ信号の周期の前側１／５部分に限り発光する。このことは、ＬＥＤＬ５の発光強度は、その最大値の１／５に低下することを意味する。
【０２０３】
上述した１−６〜５−６のデューティ信号は、ステップ４５２にて演出制御回路１００から同時に出力されるため、発光駆動回路２００では、ＬＥＤ１〜ＬＥＤ５が、同時に、発光駆動状態におかれる。このため、ＬＥＤ３〜ＬＥＤ５は、ＬＥＤ１及びＬＥＤ２の発光停止状態にて、同時に発光する。そして、ＬＥＤ３は、３−６のデューティ信号の周期の前側１／２０部分に限り継続して発光し、ＬＥＤ４は、４−６のデューティ信号の周期の前側１／１０部分に亘り継続して発光し、また、ＬＥＤ５は、５−６のデューティ信号の周期の前側１／５部分に限り継続して発光する（図２５参照）。但し、ＬＥＤ３はＬＥＤ４の１／２の発光強度（発光強度の最大値の１／２０）で発光するから、ＬＥＤ３の明るさは、ＬＥＤ４の明るさの１／５である。また、ＬＥＤ５の発光強度は、ＬＥＤ４の１／２の発光強度（発光強度の最大値の１／１０）であるから、当該ＬＥＤ５の明るさは、ＬＥＤ４の明るさの１／２であり、ＬＥＤ３の明るさの４倍である。
【０２０４】
上述したステップ４５２の処理後、次のステップ４５３において、上記ソフトタイマーがリセットスタートされて、計時を開始する。
【０２０５】
しかして、ＬＥＤ１〜ＬＥＤ５が同時に発光駆動状態におかれた後、周期τが経過すると、ステップ４６０における判定がＹＥＳとなる。
【０２０６】
ステップ４６０におけるＹＥＳとの判定に伴い、次のステップ４７０にて、変数ｎ＝７か否かが判定される。現段階では、ｎ＝６のままであるから、ステップ４７０においてＮＯと判定され、然る後、ステップ４７１において、変数ｎ＝７とセットされる。これに伴い、ステップ４７０においてＹＥＳと判定される。
【０２０７】
この判定後、上記コンピュータプログラムが図２２のステップ４８０に進むと、当該ステップ４８０における第７発光態様データ読み出し処理において、図１４の発光態様７が上記ＲＯＭから第７発光態様データとして読み出される。ここで、当該第７発光態様データは、デューティ比Ｄ１＝５（％）、デューティ比Ｄ２＝Ｄ３＝０（％）、デューティ比Ｄ４＝５（％）及びデューティ比Ｄ５＝１０（％）でもって特定されている（図１４参照）。
【０２０８】
然る後、次のステップ４８１におけるデューティ信号形成処理において、ステップ４８０における第７発光態様データのデューティ比Ｄ１＝５（％）、デューティ比Ｄ２＝Ｄ３＝０（％）、デューティ比Ｄ４＝５（％）及びデューティ比Ｄ５＝１０（％）が、それぞれ、第１−７〜第５−７のデューティ信号として形成される。
【０２０９】
ここで、第１−７デューティ信号は、デューティ比Ｄ１＝５（％）に基づき、その周期の前側１／２０部分及び後側１９／２０に亘り、それぞれ、ハイレベル及びローレベルに形成される。また、第２−７及び第３−７の各デューティ信号は、それぞれ、各デューティ比Ｄ２＝Ｄ３＝０（％）に基づき、その周期に亘りハイレベルに形成される。
【０２１０】
また、第４−７のデューティ信号は、デューティ比Ｄ４＝５（％）に基づき、その周期の前側１／２０部分及び後側１９／２０に亘り、それぞれ、ハイレベル及びローレベルに形成される。また、第５−７のデューティ信号は、デューティ比Ｄ５＝１０（％）に基づき、その周期の前側１／１０部分及び後側９／１０部分に亘りそれぞれハイレベル及びローレベルに形成される。
【０２１１】
上述のようにステップ４８１においてデューティ信号の形成処理がなされると、次のステップ４８２におけるデューティ信号出力処理において、ステップ４８１における第１−７〜第５−７のデューティ信号が演出制御回路１００からその各出力ポートＰ１〜Ｐ５を介して発光駆動回路２００の各スイッチング回路２１０〜２５０に出力される。
【０２１２】
すると、スイッチング回路２１０においては、第１−７のデューティ信号がその周期の前側１／２０部分及び後側１９／２０部分に亘りそれぞれハイレベル及びローレベルにあることから、パワートランジスタ２１１が、第１−７のデューティ信号に基づきその周期の前側１／２０部分に亘りオンし、然る後、第１−７のデューティ信号に基づきその周期の後側１９／２０部分に亘りオフとなる。
【０２１３】
このため、ＦＥＴ２１４が、パワートランジスタ２１１から生ずるハイレベルのコレクター電圧に基づきオンし、然る後、パワートランジスタ２１１から生ずるローレベルのコレクター電圧に基づきオフする。これに伴い、上記直流電源からその直流電圧＋Ｖｃに基づく直流電流が、ＦＥＴ２１４のオンの間当該ＦＥＴ２１４を通りＬＥＤＬ１に流れ、然る後、ＦＥＴ２１４のオフの間当該ＦＥＴ２１４によりＬＥＤＬ１から遮断される。
【０２１４】
また、スイッチング回路２２０においては、第２−７のデューティ信号が、その周期に亘り、ハイレベルにあることから、パワートランジスタ２２１が、第２−７のデューティ信号に基づきその周期に亘りオフとなる。このため、ＦＥＴ２２４が、パワートランジスタ２２１から生ずるハイレベルのコレクター電圧に基づきオフする。これに伴い、上記直流電源からその直流電圧＋Ｖｃに基づく直流電流が、ＦＥＴ２２４のオフによりＬＥＤＬ２から遮断される。
【０２１５】
また、スイッチング回路２３０においては、第３−７のデューティ信号も、同様に、その周期に亘り、ハイレベルにあることから、パワートランジスタ２３１が、第３−７のデューティ信号に基づきその周期に亘りオフとなる。このため、ＦＥＴ２３４が、パワートランジスタ２３１から生ずるハイレベルのコレクター電圧に基づきオフする。これに伴い、上記直流電源からその直流電圧＋Ｖｃに基づく直流電流が、ＦＥＴ２３４のオフによりＬＥＤＬ３から遮断される。
【０２１６】
また、スイッチング回路２４０においては、第４−７のデューティ信号の周期の前側１／２０部分及び後側１９／２０部分がそれぞれハイレベル及びローレベルにあることから、パワートランジスタ２４１が、第４−７のデューティ信号に基づきその周期の前側１／２０部分に亘りオンとなり、然る後、第４−７のデューティ信号に基づきその周期の後側１９／２０部分に亘りオフとなる。このため、ＦＥＴ２４４が、パワートランジスタ２４１から生ずるローレベルのコレクター電圧に基づきオンし、然る後、パワートランジスタ２４１から生ずるハイレベルのコレクター電圧に基づきオフする。これに伴い、上記直流電源からその直流電圧＋Ｖｃに基づく直流電流が、ＦＥＴ２４４のオンの間当該ＦＥＴ２４４を通りＬＥＤ４に流入し、然る後、ＦＥＴ２４４のオフの間当該ＦＥＴ２４４によりＬＥＤＬ４から遮断される。
【０２１７】
また、スイッチング回路２５０においては、第５−７のデューティ信号がその周期の前側１／１０部分及び後側９／１０部分に亘りそれぞれハイレベル及びローレベルにあることから、パワートランジスタ２５１が、第５−７のデューティ信号に基づきその周期の前側１／１０部分に亘りオンとなり、然る後、第５−７のデューティ信号に基づきその周期の後側９／１０部分に亘りオフとなる。
【０２１８】
このため、ＦＥＴ２５４が、パワートランジスタ２５１から生ずるローレベルのコレクター電圧に基づきオンし、然る後、パワートランジスタ２５１から生ずるハイレベルのコレクター電圧に基づきオフする。これに伴い、上記直流電源からその直流電圧＋Ｖｃに基づく直流電流が、ＦＥＴ２５４のオンの間当該ＦＥＴ２５４を通りＬＥＤＬ５に流入し然る後、ＦＥＴ２５４のオフの間、ＬＥＤＬ５への流入を停止する。
【０２１９】
ここで、この直流電流の流入は、第５−７のデューティ信号の周期の前側１／１０部分に限られることから、ＬＥＤＬ５は、第５−７のデューティ信号の周期の前側１／１０部分に限り発光する。このことは、ＬＥＤＬ５の発光強度がその最大値の１／１０の強度に低下することを意味する。
【０２２０】
上述した１−７〜５−７のデューティ信号は、ステップ４８２にて演出制御回路１００から同時に出力されるため、発光駆動回路２００では、ＬＥＤ１〜ＬＥＤ５が、同時に、発光駆動状態におかれる。このため、ＬＥＤ１、ＬＥＤ４及びＬＥＤ５は、ＬＥＤ２及びＬＥＤ３の発光停止状態にて、同時に発光する。そして、ＬＥＤ１は、１−７のデューティ信号の周期の前側１／２０部分に限り継続して発光し、ＬＥＤ４は、４−７のデューティ信号の周期の前側１／２０部分に亘り継続して発光し、また、ＬＥＤ５は、５−７のデューティ信号の周期の前側１／５部分に限り継続して発光する（図２５参照）。但し、ＬＥＤ１はＬＥＤ５の発光強度と同一の発光強度で発光するから、ＬＥＤ１の明るさは、ＬＥＤ５の明るさと同一である。また、ＬＥＤ５の発光強度は、ＬＥＤ４の２倍の発光強度であるから、当該ＬＥＤ５の明るさは、ＬＥＤ４の明るさの２倍であり、ＬＥＤ１の明るさの２倍である。
【０２２１】
上述したステップ４８２の処理後、次のステップ４８３において、上記ソフトタイマーがリセットスタートされて、計時を開始する。
【０２２２】
しかして、ＬＥＤ１〜ＬＥＤ５が同時に発光駆動状態におかれた後、周期τが経過すると、ステップ４９０における判定がＹＥＳとなる。
【０２２３】
ステップ４９０におけるＹＥＳとの判定に伴い、次のステップ５００にて、変数ｎ＝８か否かが判定される。現段階では、ｎ＝７のままであるから、ステップ５００においてＮＯと判定され、然る後、ステップ５０１において、変数ｎ＝８とセットされる。これに伴い、ステップ５００においてＹＥＳと判定される。
【０２２４】
この判定後、上記コンピュータプログラムが図２３のステップ５１０に進むと、当該ステップ５１０における第８発光態様データ読み出し処理において、図１４の発光態様８が上記ＲＯＭから第８発光態様データとして読み出される。ここで、当該第８発光態様データは、デューティ比Ｄ１＝１０（％）、デューティ比Ｄ２＝５（％）、デューティ比Ｄ３＝Ｄ４＝０（％）及びデューティ比Ｄ５＝５（％）でもって特定されている（図１４参照）。
【０２２５】
然る後、次のステップ５１１におけるデューティ信号形成処理において、ステップ５１０における第８発光態様データのデューティ比Ｄ１＝１０（％）、デューティ比Ｄ２＝５（％）、デューティ比Ｄ３＝Ｄ４＝０（％）及びデューティ比Ｄ５＝５（％）が、それぞれ、第１−８〜第５−８のデューティ信号として形成される。
【０２２６】
ここで、第１−８デューティ信号は、デューティ比Ｄ１＝１０（％）に基づき、その周期の前側１／１０部分及び後側９／１０に亘り、それぞれ、ハイレベル及びローレベルに形成される。また、第２−８のデューティ信号は、デューティ比Ｄ２＝５（％）に基づき、その周期の前側１／２０部分及び後側１９／２０に亘り、それぞれ、ハイレベル及びローレベルに形成される。
【０２２７】
また、第３−８及び第４−８の各デューティ信号は、それぞれ、各デューティ比Ｄ３＝Ｄ４＝０（％）に基づき、その周期に亘りハイレベルに形成される。また、第５−８のデューティ信号は、デューティ比Ｄ５＝５（％）に基づき、その周期の前側１／２０部分及び後側１９／２０に亘り、それぞれ、ハイレベル及びローレベルに形成される。
【０２２８】
上述のようにステップ５１１においてデューティ信号の形成処理がなされると、次のステップ５１２におけるデューティ信号出力処理において、ステップ５１１における第１−８〜第５−８のデューティ信号が演出制御回路１００からその各出力ポートＰ１〜Ｐ５を介して発光駆動回路２００の各スイッチング回路２１０〜２５０に出力される。
【０２２９】
すると、スイッチング回路２１０においては、第１−８のデューティ信号がその周期の前側１／１０部分及び後側９／１０部分に亘りそれぞれハイレベル及びローレベルにあることから、パワートランジスタ２１１が、第１−８のデューティ信号に基づきその周期の前側１／１０部分に亘りオンし、然る後、第１−８のデューティ信号に基づきその周期の後側９／１０部分に亘りオフとなる。このため、ＦＥＴ２１４が、パワートランジスタ２１１から生ずるハイレベルのコレクター電圧に基づきオンし、然る後、パワートランジスタ２１１から生ずるローレベルのコレクター電圧に基づきオフする。これに伴い、上記直流電源からその直流電圧＋Ｖｃに基づく直流電流が、ＦＥＴ２１４のオンの間当該ＦＥＴ２１４を通りＬＥＤＬ１に流れ、然る後、ＦＥＴ２１４のオフの間当該ＦＥＴ２１４によりＬＥＤＬ１から遮断される。
【０２３０】
また、スイッチング回路２２０においては、第２−８のデューティ信号が、その周期の前側１／２０部分及び後側１９／２０部分に亘り、それぞれ、ハイレベル及びローレベルにあることから、パワートランジスタ２２１が、第２−８のデューティ信号に基づきその周期の前側１／２０部分に亘りオンとなり、然る後、第２−８のデューティ信号に基づきその周期の後側１９／２０部分に亘りオフとなる。このため、ＦＥＴ２２４が、パワートランジスタ２２１から生ずるローレベルのコレクター電圧に基づきオンし、然る後、パワートランジスタ２２１から生ずるハイレベルのコレクター電圧に基づきオフする。これに伴い、上記直流電源からその直流電圧＋Ｖｃに基づく直流電流が、ＦＥＴ２２４のオンの間当該ＦＥＴ２２４を通りＬＥＤＬ２に流入し、然る後、ＦＥＴ２２４のオフの間当該ＦＥＴ２２４によりＬＥＤＬ２から遮断される。
【０２３１】
また、スイッチング回路２３０においては、第３−８のデューティ信号が、その周期に亘り、ハイレベルにあることから、パワートランジスタ２３１が、第３−８のデューティ信号に基づきその周期に亘りオフとなる。このため、ＦＥＴ２３４が、パワートランジスタ２３１から生ずるハイレベルのコレクター電圧に基づきオフする。これに伴い、上記直流電源からその直流電圧＋Ｖｃに基づく直流電流が、ＦＥＴ２３４のオフによりＬＥＤＬ３から遮断される。
【０２３２】
また、スイッチング回路２４０においては、第４−８のデューティ信号も、同様に、その周期に亘り、ハイレベルにあることから、パワートランジスタ２４１が、第８−４のデューティ信号に基づきその周期に亘りオフとなる。このため、ＦＥＴ２４４が、パワートランジスタ２４１から生ずるハイレベルのコレクター電圧に基づきオフする。これに伴い、上記直流電源からその直流電圧＋Ｖｃに基づく直流電流が、ＦＥＴ２４４のオフによりＬＥＤＬ４から遮断される。
【０２３３】
また、スイッチング回路２５０においては、第５−８のデューティ信号の周期の前側１／２０部分及び後側１９／２０部分がそれぞれハイレベル及びローレベルにあることから、パワートランジスタ２５１が、第５−８のデューティ信号に基づきその周期の前側１／２０部分に亘りオンとなり、然る後、第５−８のデューティ信号に基づきその周期の後側１９／２０部分に亘りオフとなる。このため、ＦＥＴ２５４が、パワートランジスタ２５１から生ずるローレベルのコレクター電圧に基づきオンし、然る後、パワートランジスタ２５１から生ずるハイレベルのコレクター電圧に基づきオフする。これに伴い、上記直流電源からその直流電圧＋Ｖｃに基づく直流電流が、ＦＥＴ２５４のオンの間当該ＦＥＴ２５４を通りＬＥＤ５に流入し、然る後、ＦＥＴ２５４のオフの間当該ＦＥＴ２５４によりＬＥＤＬ５から遮断される。
【０２３４】
ここで、この直流電流の流入は、第５−８のデューティ信号の周期の前側１／１０部分に限られることから、ＬＥＤＬ５は、第５−８のデューティ信号の周期の前側１／２０部分に限り発光する。このことは、ＬＥＤＬ５の発光強度がその最大値の１／２０の強度に低下することを意味する。
【０２３５】
上述した第１−８〜第５−８のデューティ信号は、ステップ５１２にて演出制御回路１００から同時に出力されるため、発光駆動回路２００では、ＬＥＤ１〜ＬＥＤ５が、同時に、発光駆動状態におかれる。このため、ＬＥＤ１、ＬＥＤ２及びＬＥＤ５は、ＬＥＤ３及びＬＥＤ４の発光停止状態にて、同時に発光する。そして、ＬＥＤ１は、第１−８のデューティ信号の周期の前側１／１０部分に限り継続して発光し、ＬＥＤ２は、第２−８のデューティ信号の周期の前側１／２０部分に亘り継続して発光し、また、ＬＥＤ５も、第５−８のデューティ信号の周期の前側１／５部分に限り継続して発光する（図２５参照）。但し、ＬＥＤ１はＬＥＤ２の発光強度の２倍の発光強度で発光するから、ＬＥＤ１の明るさは、ＬＥＤ２の明るさと同一である。また、ＬＥＤ５の発光強度は、ＬＥＤ２の発光強度と同一であるから、当該ＬＥＤ５の明るさは、ＬＥＤ２の明るさと同一であり、ＬＥＤ１の明るさの１／２である。
【０２３６】
上述したステップ５１２の処理後、次のステップ５１３において、上記ソフトタイマーがリセットスタートされて、計時を開始する。
【０２３７】
しかして、ＬＥＤ１〜ＬＥＤ５が同時に発光駆動状態におかれた後、周期τが経過すると、ステップ５２０における判定がＹＥＳとなる。
【０２３８】
ステップ５２０におけるＹＥＳとの判定に伴い、次のステップ５３０にて、変数ｎ＝９か否かが判定される。現段階では、ｎ＝８のままであるから、ステップ５３０においてＮＯと判定され、然る後、ステップ５３１において、変数ｎ＝９とセットされる。これに伴い、ステップ５３０においてＹＥＳと判定される。
【０２３９】
この判定後、上記コンピュータプログラムが図２４のステップ５４０に進むと、当該ステップ５４０における第９発光態様データ読み出し処理において、図１４の発光態様９が上記ＲＯＭから第９発光態様データとして読み出される。ここで、当該第９発光態様データは、デューティ比Ｄ１＝２０（％）、デューティ比Ｄ２＝１０（％）、デューティ比Ｄ３＝５（％）及び各デューティ比Ｄ４＝Ｄ５＝０（％）でもって特定されている（図１４参照）。
【０２４０】
然る後、次のステップ５４１におけるデューティ信号形成処理において、ステップ５４０における第９発光態様データのデューティ比Ｄ１＝２０（％）、デューティ比Ｄ２＝１０（％）、デューティ比Ｄ３＝５（％）及び各デューティ比Ｄ４＝Ｄ５＝０（％）が、それぞれ、第１−９〜第５−９のデューティ信号として形成される。
【０２４１】
ここで、第１−９のデューティ信号は、デューティ比Ｄ１＝２０（％）に基づき、その周期の前側１／５部分及び後側４／５に亘り、それぞれ、ハイレベル及びローレベルに形成される。また、第２−９のデューティ信号は、デューティ比Ｄ２＝１０（％）に基づき、その周期の前側１／１０部分及び後側９／１０に亘り、それぞれ、ハイレベル及びローレベルに形成される。
【０２４２】
また、第３−９のデューティ信号は、デューティ比Ｄ３＝５（％）に基づき、その周期の前側１／２０部分及び後側１９／２０に亘り、それぞれ、ハイレベル及びローレベルに形成される。また、第４−９及び第５−９の各デューティ信号は、それぞれ、各デューティ比Ｄ４＝Ｄ５＝０（％）に基づき、その周期に亘りハイレベルに形成される。
【０２４３】
上述のようにステップ５４１においてデューティ信号の形成処理がなされると、次のステップ５４２におけるデューティ信号出力処理において、ステップ５４１における第１−９〜第５−９のデューティ信号が演出制御回路１００からその各出力ポートＰ１〜Ｐ５を介して発光駆動回路２００の各スイッチング回路２１０〜２５０に出力される。
【０２４４】
すると、スイッチング回路２１０においては、第１−９のデューティ信号がその周期の前側１／５部分及び後側４／５部分に亘りそれぞれハイレベル及びローレベルにあることから、パワートランジスタ２１１が、第１−９のデューティ信号に基づきその周期の前側１／５部分に亘りオンし、然る後、第１−９のデューティ信号に基づきその周期の後側４／５部分に亘りオフとなる。このため、ＦＥＴ２１４が、パワートランジスタ２１１から生ずるハイレベルのコレクター電圧に基づきオンし、然る後、パワートランジスタ２１１から生ずるローレベルのコレクター電圧に基づきオフする。これに伴い、上記直流電源からその直流電圧＋Ｖｃに基づく直流電流が、ＦＥＴ２１４のオンの間当該ＦＥＴ２１４を通りＬＥＤＬ１に流れ、然る後、ＦＥＴ２１４のオフの間当該ＦＥＴ２１４によりＬＥＤＬ１から遮断される。
【０２４５】
また、スイッチング回路２２０においては、第２−９のデューティ信号が、その周期の前側１／１０部分及び後側９／１０部分に亘り、それぞれ、ハイレベル及びローレベルにあることから、パワートランジスタ２２１が、第２−９のデューティ信号に基づきその周期の前側１／１０部分に亘りオンとなり、然る後、第２−９のデューティ信号に基づきその周期の後側９／１０部分に亘りオフとなる。このため、ＦＥＴ２２４が、パワートランジスタ２２１から生ずるローレベルのコレクター電圧に基づきオンし、然る後、パワートランジスタ２２１から生ずるハイレベルのコレクター電圧に基づきオフする。これに伴い、上記直流電源からその直流電圧＋Ｖｃに基づく直流電流が、ＦＥＴ２２４のオンの間当該ＦＥＴ２２４を通りＬＥＤＬ２に流入し、然る後、ＦＥＴ２２４のオフの間当該ＦＥＴ２２４によりＬＥＤＬ２から遮断される。
【０２４６】
また、スイッチング回路２３０においては、第３−９のデューティ信号が、その周期の前側１／２０部分及び後側１９／２０部分に亘り、それぞれ、ハイレベル及びローレベルにあることから、パワートランジスタ２３１が、第３−９のデューティ信号に基づきその周期の前側１／２０部分に亘りオンとなり、然る後、第３−９のデューティ信号に基づきその周期の後側１９／２０部分に亘りオフとなる。
【０２４７】
このため、ＦＥＴ２３４が、パワートランジスタ２３１から生ずるローレベルのコレクター電圧に基づきオンし、然る後、パワートランジスタ２３１から生ずるハイレベルのコレクター電圧に基づきオフする。これに伴い、上記直流電源からその直流電圧＋Ｖｃに基づく直流電流が、ＦＥＴ２３４のオンの間当該ＦＥＴ２３４を通りＬＥＤＬ３に流入し、然る後、ＦＥＴ２３４のオフの間当該ＦＥＴ２３４によりＬＥＤＬ３から遮断される。
【０２４８】
また、スイッチング回路２４０においては、第４−９のデューティ信号が、その周期に亘り、ハイレベルにあることから、パワートランジスタ２４１が、第４−９のデューティ信号に基づきその周期に亘りオフとなる。このため、ＦＥＴ２４４が、パワートランジスタ２４１から生ずるハイレベルのコレクター電圧に基づきオフする。これに伴い、上記直流電源からその直流電圧＋Ｖｃに基づく直流電流が、ＦＥＴ２４４のオフによりＬＥＤＬ４から遮断される。
【０２４９】
また、スイッチング回路２５０においては、第５−９のデューティ信号も、同様に、その周期に亘り、ハイレベルにあることから、パワートランジスタ２５１が、第５−９のデューティ信号に基づきその周期に亘りオフとなる。このため、ＦＥＴ２５４が、パワートランジスタ２５１から生ずるハイレベルのコレクター電圧に基づきオフする。これに伴い、上記直流電源からその直流電圧＋Ｖｃに基づく直流電流が、ＦＥＴ２５４のオフによりＬＥＤＬ５から遮断される。
【０２５０】
上述した第１−９〜第５−９のデューティ信号は、ステップ５４２にて演出制御回路１００から同時に出力されるため、発光駆動回路２００では、ＬＥＤ１〜ＬＥＤ５が、同時に、発光駆動状態におかれる。このため、ＬＥＤ１、ＬＥＤ２及びＬＥＤ３は、ＬＥＤ４及びＬＥＤ５の発光停止状態にて、同時に発光する。そして、ＬＥＤ１は、第１−９のデューティ信号の周期の前側１／５部分に限り継続して発光し、ＬＥＤ２は、第２−９のデューティ信号の周期の前側１／１０部分に亘り継続して発光し、また、ＬＥＤ３は、第３−９のデューティ信号の周期の前側１／２０部分に限り継続して発光する（図２５参照）。但し、ＬＥＤ１はＬＥＤ２の発光強度の２倍の発光強度で発光するから、ＬＥＤ１の明るさは、ＬＥＤ２の明るさの２倍である。また、ＬＥＤ３の発光強度は、ＬＥＤ２の発光強度の１／２であるから、当該ＬＥＤ３の明るさは、ＬＥＤ２の明るさの１／２である。
【０２５１】
上述したステップ５４２の処理後、次のステップ５４３において、上記ソフトタイマーがリセットスタートされて、計時を開始する。
【０２５２】
しかして、ＬＥＤ１〜ＬＥＤ５が同時に発光駆動状態におかれた後、周期τが経過すると、ステップ５５０における判定がＹＥＳとなる。その後、上記コンピュータプログラムは、リターンステップから図１６のスタートステップに戻り、上述と同様にステップ３００〜図９のリターンステップの処理が繰り返される。また、この処理の繰り返しは、上述の大当たり抽選に対しなされる演出時間の間なされる。
【０２５３】
以上述べたように、ＬＥＤ１〜ＬＥＤ５は、第１〜第５の発光態様に従い、ＬＥＤ１からＬＥＤ５にかけて、順次、周期τずつデューティ比１００（％）にて発光し、ＬＥＤ１のデューティ比１００（％）による発光にあわせてＬＥＤ２をデューティ比５０（％）にて発光し、ＬＥＤ２のデューティ比１００（％）による発光にあわせてＬＥＤ３をデューティ比５０（％）にて発光するとともにＬＥＤ１をデューティ比２０（％）にて発光し、ＬＥＤ３のデューティ比１００（％）による発光にあわせてＬＥＤ４をデューティ比５０（％）にて発光するとともにＬＥＤ２をデューティ比２０（％）にて発光し、ＬＥＤ４のデューティ比１００（％）による発光にあわせてＬＥＤ５をデューティ比５０（％）にて発光するとともにＬＥＤ３をデューティ比２０（％）にて発光し、かつ、ＬＥＤ５のデューティ比１００（％）による発光にあわせてＬＥＤ４をデューティ比２０（％）にて発光する。
【０２５４】
さらに、ＬＥＤ１〜ＬＥＤ５は、発光態様６に従いＬＥＤ５からＬＥＤ３にかけてそれぞれ各デューティ比２０（％）、１０（％）及び５（％）にて発光し、発光態様７に従いＬＥＤ５をデューティ比１０（％）にて発光するとともにＬＥＤ３及びＬＥＤ１をデューティ比５（％）にて発光し、発光態様８に従いＬＥＤ１をデューティ比２０（％）にて発光するとともにＬＥＤ５及びＬＥＤ２をデューティ比５（％）にて発光し、かつ、発光態様９に従いＬＥＤ１からＬＥＤ３にかけてそれぞれ各デューティ比２０（％）、１０（％）及び５（％）にて発光する。
【０２５５】
従って、発光態様１〜発光態様５に従い、ＬＥＤ１〜ＬＥＤ５が、周期τずつ、最高発光強度（即ち、最大明るさ）にて発光する。そして、ＬＥＤ１の最高発光強度による発光にあわせてＬＥＤ２が最高発光強度の１／２（即ち、最大明るさの１／２の明るさ）にて発光し、ＬＥＤ２〜ＬＥＤ４の各最高発光強度による発光にあわせてＬＥＤ３〜ＬＥＤ５を最高発光強度の１／２（即ち、最大明るさの１／２の明るさ）にて発光するとともにＬＥＤ１〜ＬＥＤ４を最高発光強度の１／５（即ち、最大明るさの１／５の明るさ）にて発光する。
【０２５６】
さらに、発光態様６に従いＬＥＤ５からＬＥＤ３にかけてそれぞれ最高発光強度の１／５（即ち、最大明るさの１／５の明るさ）、１／１０（即ち、最大明るさの１／１０及び１／２０（即ち、最大明るさの１／２０）にて発光し、発光態様７に従いＬＥＤ５を最高発光強度の１／１０（即ち、最大明るさの１／１０の明るさ）にて発光するとともにＬＥＤ３及びＬＥＤ１を最高発光強度の１／２０（即ち、最大明るさの１／２０）にて発光し、発光態様８に従いＬＥＤ１を最高発光強度の１／５（即ち、最大明るさの１／５の明るさ）にて発光するとともにＬＥＤ５及びＬＥＤ２を最高発光強度の１／２０（即ち、最大明るさの１／２０の明るさ）にて発光し、かつ発光態様９に従いＬＥＤ１からＬＥＤ３にかけてそれぞれ最高発光強度の１／５（即ち、最大明るさの１／５の明るさ）、１／１０（即ち、最大明るさの１／１０の明るさ）及び１／２０（即ち、最大明るさの１／２０）にて発光する。換言すれば、暗さが、ＬＥＤ１及びＬＥＤ２の間、ＬＥＤ２及びＬＥＤ３の間、ＬＥＤ３及びＬＥＤ４の間及びＬＥＤ４及びＬＥＤ５の間にて形成される。
【０２５７】
以上によれば、ＬＥＤ１〜ＬＥＤ５にかけてその発光が周期τずつ順次最大明るさの発光点として湾曲状反射板４７ｂにより順次反射され、ついで、ＬＥＤ１及びＬＥＤ２の間、ＬＥＤ２及びＬＥＤ３の間、ＬＥＤ３及びＬＥＤ４の間及びＬＥＤ４及びＬＥＤ５の間にて周期τずつ順次暗くなる。
【０２５８】
これに伴い、ＬＥＤ１〜ＬＥＤ５の各発光が、湾曲状反射板４７ｂにより順次反射されて配設板部４７ｃの外周縁部に沿いその左端側から右端側に向けて移動する最大明るさの発光点として視認される。また、ＬＥＤ１及びＬＥＤ２の間、ＬＥＤ２及びＬＥＤ３の間、ＬＥＤ３及びＬＥＤ４の間及びＬＥＤ４及びＬＥＤ５の間にて形成される暗さが、湾曲状反射板４７ｂにより順次反射されて配設板部４７ｃの外周縁部に沿いその左端側から右端側に向けて移動する暗点として視認される。
【０２５９】
その結果、５個のＬＥＤが配設板部４７ｃの半円周状の外周縁部にしか配設されていなくても、発光点及び暗点の移動でもって全円周に亘り光演出を行っているように視認され得る。
【０２６０】
ここで、最大明るさにて発光するＬＥＤ１〜ＬＥＤ５にそれぞれ隣接する各ＬＥＤの明るさを最大明るさよりも暗くするようにしたので、最大明るさにて発光するＬＥＤ１〜ＬＥＤ５の各発光点がより一層明確になる。
【０２６１】
また、発光態様６に従うときにはＬＥＤ５からＬＥＤ３にかけて順次暗くなり、発光態様７に従うときにはＬＥＤ５及びＬＥＤ４にかけて順次暗くなるとともにＬＥＤ１をＬＥＤ４と同一の暗さとし、発光態様８に従うときにはＬＥＤ１及びＬＥＤ２にかけて順次暗くなるとともにＬＥＤ５をＬＥＤ２と同一の暗さとし、発光態様９に従うときにはＬＥＤ１からＬＥＤ３にかけて順次暗くなるようにしたので、各暗点がより一層明確になる。
【０２６２】
その結果、発光点及び暗点の移動による全円周に亘る光演出がより一層明確になされる。
【０２６３】
一方、上述のように下方へ転動する各遊技球が、光演出装置４０の入賞口体４３ｃ内に進入することなく、内レール２２ｂの左側部位の上面及び右側部位の上面に沿い下方へ転動すると、内レール２２ｂの左側部位の上面上の遊技球（以下、左側球ともいう）は、内レール２２ｂの左側部位の上面に沿い内レール２２ｂの中央下部、換言すれば、光演出装置４０に向けて左側から転動し、一方、内レール２２ｂの右側部位の上面上の遊技球（以下、右側球ともいう）は、内レール２２ｂの右側部位の上面に沿い内レール２２ｂの下端中央部、換言すれば、光演出装置４０に向けて右側から転動することとなる。このことは、左側球及び右側球は、内レール２２ｂの左側部位及び右側部位の各上面に沿い互いに接近して衝突する方向に転動することを意味する。
【０２６４】
しかしながら、光演出装置４０には、左側球排出筒部材４５及び右側球排出筒部材４６が、上述のごとき構成にて設けられている。従って、内レール２２ｂの下端中央部に左側から達する左側球は、左側球排出筒部材４５を通りアウト口３０を介し遊技盤２０の後方へ排出され、一方、内レール２２ｂの中央下部に右側から達する右側球は、右側球排出筒部材４６を通りアウト口３０を介し遊技盤２０の後方へ排出されることとなる。
【０２６５】
ここで、左側球排出筒部材４５は、左側アウト球入路４３ｆを通して、内レール２２ｂの中央下部から左側へ開口し、一方、右側球排出筒部材４６は、右側アウト球入路４３ｇを通して内レール２２ｂの中央下部から右側へ開口している。従って、左側球は内レール２２ｂの左側部位から左側アウト球入路４３ｆを通り左側球排出筒部材４５内に円滑に進入してアウト口３０を介し遊技盤２０の後方へ排出され、一方、右側球は内レール２２ｂの右側部位から右側アウト球入路４３ｇを通り右側球排出筒部材４６内に円滑に進入してアウト口３０を介し遊技盤２０の後方へ排出され得る。
【０２６６】
このように、左側球排出筒部材４５が、左側球のアウト口３０を介する遊技盤２０の後方への排出専用の通路としての役割を果たし、一方、右側球排出筒部材４６が、右側球のアウト口３０を介する遊技盤２０の後方への排出専用の通路としての役割を果たすことから、左側球及び右側球が、内レール２２ｂの下端中央部にて左右から衝突して球詰まりを招くという事態の発生を未然に防止することができる。
【０２６７】
ここで、右側球排出筒部材４６の延出開口部４６ａが、左側球排出筒部材４５の延出開口部４５ａとともに、当該延出開口部４５ａの後側にて、アウト口３０内に延在するので、上述した効果がより一層確実に達成され得る。なお、右側球排出筒部材４６の延出開口部４６ａが、左側球排出筒部材４５の延出開口部４５ａとともに、当該延出開口部４５ａの前側にて、アウト口３０内に延在するようにしても、同様の作用効果を達成することができる。
【０２６８】
以上説明したように、本第１実施形態によれば、光演出システムが、光演出装置４０において左側球排出筒部材４５及び右側球排出筒部材４６を一体的に有するようにコンパクトに構成されているから、上述した演出効果及び球詰まり防止効果の双方が、上述の一体的なコンパクトな構成にて達成し得る。
（第２実施形態）
図２６は、本発明の第２実施形態の要部を示している。この第２実施形態では、上記第１実施形態にて述べた発光駆動回路２００に代えて、発光駆動回路２００Ａが採用されている。
【０２６９】
当該発光駆動回路２００Ａは、発光駆動回路２００の各スイッチング回路２１０〜２５０にそれぞれ対応する各スイッチング回路２１０Ａ〜２５０Ａでもって構成されている。
【０２７０】
スイッチング回路２１０Ａは、上記第１実施形態にて述べたスイッチング回路２１０において、ＦＥＴ２１４に代えて、ＦＥＴ２１４Ａ及びインバータ２１５を採用して構成してなるもので、当該ＦＥＴ２１４Ａは、ＭＯＳ型のＮチャンネル電界効果トランジスタでもって構成されている。
【０２７１】
ＦＥＴ２１４Ａは、そのゲート２１４ｄにて、インバータ２１５を介しパワートランジスタ２１１のコレクター２１１ｂに接続されており、当該ＦＥＴ２１４Ａのドレイン２１４ｅは、ＬＥＤ１を介して上記直流電源の正側端子に接続されている。また、当該ＦＥＴ２１４Ａのソース２１４ｆは、接地されている。
【０２７２】
ここで、インバータ２１５は、パワートランジスタ２１１のコレクター２１１ｂからのローレベル或いはハイレベルのコレクター電圧を反転してハイレベル或いはローレベルの反転電圧を発生する。
【０２７３】
しかして、当該ＦＥＴ２１４Ａは、インバータ２１５からハイレベル或いはハローレベルの反転電圧を印加されてスイッチング作動して、オン或いはオフする。そして、当該ＦＥＴ２１４Ａは、そのオンにより、上記直流電源からの直流電圧＋Ｖｃに基づく直流電流を、ＬＥＤ１に流入させる。また、当該ＦＥＴ２１４Ａは、そのオフにより、上記直流電源からの直流電圧＋Ｖｃに基づく直流電流をＬＥＤ１から遮断する。
【０２７４】
このことは、ＬＥＤ１が、その上記直流電流の流入に基づき発光し、上記直流電流の流入の遮断に基づき発光を停止することを意味する。ここで、ＬＥＤ１の発光継続時間は、上記第１実施形態にて述べた第１−１〜第１−９のデューティ信号のいずれかのハイレベル時間に対応し、ＬＥＤ１の発光停止時間は、第１−１〜第１−９のデューティ信号のいずれかのローレベル時間に対応する。その他のスイッチング回路２１０Ａの構成は、上記第１実施形態にて述べたスイッチング回路２１０と同様である。
【０２７５】
スイッチング回路２２０Ａは、上記第１実施形態にて述べたスイッチング回路２２０において、ＦＥＴ２２４に代えて、ＦＥＴ２２４Ａを採用して構成してなるもので、当該ＦＥＴ２２４Ａは、ＭＯＳ型のＮチャンネル電界効果トランジスタでもって構成されている。
【０２７６】
ＦＥＴ２２４Ａは、そのゲート２２４ｄにて、パワートランジスタ２２１のコレクター２２１ｂに接続されており、当該ＦＥＴ２２４Ａのドレイン２２４ｅは、ＬＥＤ２を介して上記直流電源の正側端子に接続されている。また、当該ＦＥＴ２２４Ａのソース２２４ｆは、接地されている。
【０２７７】
しかして、当該ＦＥＴ２２４Ａは、パワートランジスタ２２１のコレクター２２１ｂからローレベル或いはハイレベルのコレクター電圧を印加されてスイッチング作動して、オン或いはオフする。そして、当該ＦＥＴ２２４Ａは、そのオンにより、上記直流電源からの直流電圧＋Ｖｃに基づく直流電流を、ＬＥＤ２に流入させる。また、当該ＦＥＴ２２４Ａは、そのオフにより、上記直流電源からの直流電圧＋Ｖｃに基づく直流電流をＬＥＤ２から遮断する。
【０２７８】
このことは、ＬＥＤ２が、その上記直流電流の流入に基づき発光し、上記直流電流の流入の遮断に基づき発光を停止することを意味する。ここで、ＬＥＤ２の発光継続時間は、上記第１実施形態にて述べた第２−１〜第２−９のデューティ信号のいずれかのハイレベル時間に対応し、ＬＥＤ２の発光停止時間は、第２−１〜第２−９のデューティ信号のいずれかのローレベル時間に対応する。その他のスイッチング回路２２０Ａの構成は、上記第１実施形態にて述べたスイッチング回路２２０と同様である。
【０２７９】
スイッチング回路２３０Ａは、上記第１実施形態にて述べたスイッチング回路２３０において、ＦＥＴ２３４に代えて、ＦＥＴ２３４Ａを採用して構成してなるもので、当該ＦＥＴ２３４Ａは、ＭＯＳ型のＮチャンネル電界効果トランジスタでもって構成されている。
【０２８０】
ＦＥＴ２３４Ａは、そのゲート２３４ｄにて、パワートランジスタ２３１のコレクター２３１ｂに接続されており、当該ＦＥＴ２３４Ａのドレイン２３４ｅは、ＬＥＤ３を介して上記直流電源の正側端子に接続されている。また、当該ＦＥＴ２３４Ａのソース２３４ｆは、接地されている。
【０２８１】
しかして、当該ＦＥＴ２３４Ａは、パワートランジスタ２３１のコレクター２３１ｂからローレベル或いはハイレベルのコレクター電圧を印加されてスイッチング作動して、オン或いはオフする。そして、当該ＦＥＴ２３４Ａは、そのオンにより、上記直流電源からの直流電圧＋Ｖｃに基づく直流電流を、ＬＥＤ３に流入させる。また、当該ＦＥＴ２３４Ａは、そのオフにより、上記直流電源からの直流電圧＋Ｖｃに基づく直流電流をＬＥＤ３から遮断する。
【０２８２】
このことは、ＬＥＤ３が、その上記直流電流の流入に基づき発光し、上記直流電流の流入の遮断に基づき発光を停止することを意味する。ここで、ＬＥＤ３の発光継続時間は、上記第１実施形態にて述べた第３−１〜第３−９のデューティ信号のいずれかのハイレベル時間に対応し、ＬＥＤ３の発光停止時間は、第３−１〜第３−９のデューティ信号のいずれかのローレベル時間に対応する。その他のスイッチング回路２３０Ａの構成は、上記第１実施形態にて述べたスイッチング回路２３０と同様である。
【０２８３】
スイッチング回路２４０Ａは、上記第１実施形態にて述べたスイッチング回路２４０において、ＦＥＴ２４４に代えて、ＦＥＴ２４４Ａを採用して構成してなるもので、当該ＦＥＴ２４４Ａは、ＭＯＳ型のＮチャンネル電界効果トランジスタでもって構成されている。
【０２８４】
ＦＥＴ２４４Ａは、そのゲート２４４ｄにて、パワートランジスタ２４１のコレクター２４１ｂに接続されており、当該ＦＥＴ２４４Ａのドレイン２４４ｅは、ＬＥＤ４を介して上記直流電源の正側端子に接続されている。また、当該ＦＥＴ２４４Ａのソース２４４ｆは、接地されている。
【０２８５】
しかして、当該ＦＥＴ２４４Ａは、パワートランジスタ２４１のコレクター２４１ｂからローレベル或いはハイレベルのコレクター電圧を印加されてスイッチング作動して、オン或いはオフする。そして、当該ＦＥＴ２４４Ａは、そのオンにより、上記直流電源からの直流電圧＋Ｖｃに基づく直流電流を、ＬＥＤ４に流入させる。また、当該ＦＥＴ２４４Ａは、そのオフにより、上記直流電源からの直流電圧＋Ｖｃに基づく直流電流をＬＥＤ４から遮断する。
【０２８６】
このことは、ＬＥＤ４が、その上記直流電流の流入に基づき発光し、上記直流電流の流入の遮断に基づき発光を停止することを意味する。ここで、ＬＥＤ４の発光継続時間は、上記第１実施形態にて述べた第４−１〜第４−９のデューティ信号のいずれかのハイレベル時間に対応し、ＬＥＤ４の発光停止時間は、第４−１〜第４−９のデューティ信号のいずれかのローレベル時間に対応する。その他のスイッチング回路２４０Ａの構成は、上記第１実施形態にて述べたスイッチング回路２４０と同様である。
【０２８７】
スイッチング回路２５０Ａは、上記第１実施形態にて述べたスイッチング回路２５０において、ＦＥＴ２５４に代えて、ＦＥＴ２５４Ａを採用して構成してなるもので、当該ＦＥＴ２５４Ａは、ＭＯＳ型のＮチャンネル電界効果トランジスタでもって構成されている。
【０２８８】
ＦＥＴ２５４Ａは、そのゲート２５４ｄにて、パワートランジスタ２５１のコレクター２５１ｂに接続されており、当該ＦＥＴ２５４Ａのドレイン２５４ｅは、ＬＥＤ５を介して上記直流電源の正側端子に接続されている。また、当該ＦＥＴ２５４Ａのソース２５４ｆは、接地されている。
【０２８９】
しかして、当該ＦＥＴ２５４Ａは、パワートランジスタ２５１のコレクター２５１ｂからローレベル或いはハイレベルのコレクター電圧を印加されてスイッチング作動して、オン或いはオフする。そして、当該ＦＥＴ２５４Ａは、そのオンにより、上記直流電源からの直流電圧＋Ｖｃに基づく直流電流を、ＬＥＤ５に流入させる。また、当該ＦＥＴ２５４Ａは、そのオフにより、上記直流電源からの直流電圧＋Ｖｃに基づく直流電流をＬＥＤ５から遮断する。
【０２９０】
このことは、ＬＥＤ５が、その上記直流電流の流入に基づき発光し、上記直流電流の流入の遮断に基づき発光を停止することを意味する。ここで、ＬＥＤ５の発光継続時間は、上記第１実施形態にて述べた第５−１〜第５−９のデューティ信号のいずれかのハイレベル時間に対応し、ＬＥＤ５の発光停止時間は、第５−１〜第５−９のデューティ信号のいずれかのローレベル時間に対応する。その他のスイッチング回路２５０Ａの構成は、上記第１実施形態にて述べたスイッチング回路２５０と同様である。本第２実施形態のその他の構成は、上記第１実施形態と同様である。
【０２９１】
このように構成した本第２実施形態においては、各ＬＥＤ１〜ＬＥＤ５が、上記第１実施形態とは異なり、上記直流電源の正側端子に接続されていても、発光制御回路２００Ａのスイッチング回路２１０Ａのインバータ２１５及びＦＥＴ２１４Ａ、スイッチング回路２２０Ａのインバータ２２５及びＦＥＴ２２４Ａ、スイッチング回路２３０Ａのインバータ２３５及びＦＥＴ２３４Ａ、スイッチング回路２４０Ａのインバータ２４５及びＦＥＴ２４４Ａ及びスイッチング回路２５０Ａのインバータ２５５及びＦＥＴ２５４Ａが、それぞれ、上述のごとく、上記第１実施形態にて述べた発光制御回路２００のスイッチング回路２１０のＦＥＴ２１４、スイッチング回路２２０のＦＥＴ２２４、スイッチング回路２３０のＦＥＴ２３４、スイッチング回路２４０のＦＥＴ２４４及びスイッチング回路２５０のＦＥＴ２５４と同様の機能を有することから、上記第１実施形態と同様の演出効果を達成することができる。その他の作用効果は、上記第１実施形態と同様である。
【０２９２】
なお、本発明の実施にあたり、上記各実施形態に限ることなく、次のような種々の変形例が挙げられる。
（１）本発明の実施にあたり、発光ダイオードの数は、５個に限定されないことはいうまでもない。
（２）本発明の実施にあたり、発光駆動回路は、上記各実施形態にて述べた構成に限ることなく、同様の機能を有する回路であれば、どのような回路であってもよい。例えば、上記第２実施形態にて述べた発光駆動回路２００Ａの各スイッチング回路において、インバータは、パワートランジスタのゲートに直列接続するようにしてもよい。
（３）本発明の実施にあたり、各発光態様１〜９のうち、各発光態様６〜９では、上記実施形態とは異なり、発光強度を零にする各両ＬＥＤ（図１４にてデューティ比を零とする各両ＬＥＤ）は、上記実施形態とは異なり、各少なくとも１つのＬＥＤであってもよい。
【０２９３】
ここで、少なくとも１つのＬＥＤが、例えば、単一のＬＥＤである場合には、当該単一のＬＥＤの位置が暗点になり、３つのＬＥＤの場合には、当該３つのＬＥＤのうちのその中央のＬＥＤの位置が暗点になる。
（４）本発明の実施にあたり、各発光態様１〜９のうち、各発光態様６〜９では、上記実施形態とは逆に、両ＬＥＤ５、４、両ＬＥＤ４、３、両ＬＥＤ３、２及び両ＬＥＤ２、１の順に、発光強度を零とするようにしてもよい。
（５）本発明の実施にあたり、各デューティ比は、上記実施形態とは異なる値としてもよい。
【符号の説明】
【０２９４】
４７…発光反射ユニット、４７ａ…発光板部材、４７ｂ…湾曲状反射板、
４７ｃ…配設板部、２００、２００Ａ…発光駆動回路、
２１０〜２５０…スイッチング回路、
２１０Ａ〜２５０Ａ…スイッチング回路、Ｌ１〜Ｌ５…発光ダイオード。
【図１】
0005835889.tif 000002
【図２】
0005835889.tif 000003
【図３】
0005835889.tif 000004
【図４】
0005835889.tif 000005
【図５】
0005835889.tif 000006
【図６】
0005835889.tif 000007
【図７】
0005835889.tif 000008
【図８】
0005835889.tif 000009
【図９】
0005835889.tif 000010
【図１０】
0005835889.tif 000011
【図１１】
0005835889.tif 000012
【図１２】
0005835889.tif 000013
【図１３】
0005835889.tif 000014
【図１４】
0005835889.tif 000015
【図１５】
0005835889.tif 000016
【図１６】
0005835889.tif 000017
【図１７】
0005835889.tif 000018
【図１８】
0005835889.tif 000019
【図１９】
0005835889.tif 000020
【図２０】
0005835889.tif 000021
【図２１】
0005835889.tif 000022
【図２２】
0005835889.tif 000023
【図２３】
0005835889.tif 000024
【図２４】
0005835889.tif 000025
【図２５】
0005835889.tif 000026
【図２６】
0005835889.tif 000027